(57)【特許請求の範囲】
【請求項１】
第１ＬＥＤ光源（１ａ）と、第２ＬＥＤ光源（１ｂ）と、第１ＬＥＤ光源（１ａ）および第２ＬＥＤ光源（１ｂ）からの光を導光する導光レンズ（２）と、第１ＬＥＤ光源（１ａ）および第２ＬＥＤ光源（１ｂ）に電力を供給する給電部（３）とを具備し、
第１ＬＥＤ光源（１ａ）の光軸（１ａ’）および第２ＬＥＤ光源（１ｂ）の光軸（１ｂ’）がＬＥＤランプ（１００）の中心軸線（１００’）に概略直交するように、第１ＬＥＤ光源（１ａ）および第２ＬＥＤ光源（１ｂ）をＬＥＤランプ（１００）の中心軸線（１００’）の周りに配置し、
入射面（２ａ）と出射面（２ｂ）とを導光レンズ（２）に設け、
導光レンズ（２）の入射面（２ａ）と第１ＬＥＤ光源（１ａ）および第２ＬＥＤ光源（１ｂ）とが対向するように、第１ＬＥＤ光源（１ａ）および第２ＬＥＤ光源（１ｂ）の周りに導光レンズ（２）を配置し、
給電部（３）をＬＥＤランプ（１００）の根元側端部に配置した電球互換型ＬＥＤランプ（１００）において、
第１ＬＥＤ光源（１ａ）および第２ＬＥＤ光源（１ｂ）よりもＬＥＤランプ（１００）の根元側に位置する第１内側端部（２ａＬ１）から第１ＬＥＤ光源（１ａ）および第２ＬＥＤ光源（１ｂ）よりもＬＥＤランプ（１００）の先端側に位置する外側端部（２ａＬ２）まで延びている直線（２ａＬ）または曲線であって、ＬＥＤランプ（１００）の先端側ほどＬＥＤランプ（１００）の中心軸線（１００’）からの距離が大きくなる直線（２ａＬ）または曲線を、ＬＥＤランプ（１００）の中心軸線（１００’）に平行な所定の直線を中心に回転させることによって、導光レンズ（２）の入射面（２ａ）を形成し、第１内側端部（２ａＬ１）よりもＬＥＤランプ（１００）の根元側に位置する第２内側端部（２ｂＬ１）から第１ＬＥＤ光源（１ａ）および第２ＬＥＤ光源（１ｂ）よりもＬＥＤランプ（１００）の先端側に位置する先端側端部（２ｂＬ３）まで延びている曲線（２ｂＬ）を、ＬＥＤランプ（１００）の中心軸線（１００’）に平行な所定の直線を中心に回転させることによって、導光レンズ（２）の出射面（２ｂ）を形成し、
第１ＬＥＤ光源（１ａ）を通るＬＥＤランプ（１００）の中心軸線（１００’）に平行な直線（１ａ”）上に、あるいは、第１ＬＥＤ光源（１ａ）を通るＬＥＤランプ（１００）の中心軸線（１００’）に平行な直線（１ａ”）よりもＬＥＤランプ（１００）の中心軸線（１００’）に近い位置に入射面（２ａ）の第１内側端部（２ａＬ１）を配置し、
第１ＬＥＤ光源（１ａ）を通るＬＥＤランプ（１００）の中心軸線（１００’）に平行な直線（１ａ”）上に、あるいは、第１ＬＥＤ光源（１ａ）を通るＬＥＤランプ（１００）の中心軸線（１００’）に平行な直線（１ａ”）よりもＬＥＤランプ（１００）の中心軸線（１００’）に近い位置に出射面（２ｂ）の第２内側端部（２ｂＬ１）を配置し、
ＬＥＤランプ（１００）の中心軸線（１００’）に概略直交する面によって出射面（２ｂ）の根元側端部（２ｂＬ４）を形成し、
第１ＬＥＤ光源（１ａ）および第２ＬＥＤ光源（１ｂ）からＬＥＤランプ（１００）の先端側に照射された光（Ｌ１ａ１，Ｌ１ｂ１）が、導光レンズ（２）の入射面（２ａ）および出射面（２ｂ）によって屈折せしめられ、ＬＥＤランプ（１００）の根元側に進む光（Ｌ１ａ１’，Ｌ１ｂ１’）になり、
第１ＬＥＤ光源（１ａ）および第２ＬＥＤ光源（１ｂ）からＬＥＤランプ（１００）の根元側に照射された光（Ｌ１ａ３，Ｌ１ｂ３）が、導光レンズ（２）の入射面（２ａ）および出射面（２ｂ）の根元側端部（２ｂＬ４）によって屈折せしめられ、ＬＥＤランプ（１００）の根元側に進む光（Ｌ１ａ３’，Ｌ１ｂ３’）になり、ＬＥＤランプ（１００）の給電部（３）の周囲部分に照射されることを特徴とする電球互換型ＬＥＤランプ（１００）。
【請求項２】
第１ＬＥＤ光源（１ａ）および第２ＬＥＤ光源（１ｂ）よりもＬＥＤランプ（１００）の根元側に位置する第１内側端部（２ａＬ１）から第１ＬＥＤ光源（１ａ）および第２ＬＥＤ光源（１ｂ）よりもＬＥＤランプ（１００）の先端側に位置する外側端部（２ａＬ２）まで延びている直線（２ａＬ）であって、ＬＥＤランプ（１００）の先端側ほどＬＥＤランプ（１００）の中心軸線（１００’）からの距離が大きくなる直線（２ａＬ）を、ＬＥＤランプ（１００）の中心軸線（１００’）に平行な所定の直線を中心に回転させることによって、導光レンズ（２）の入射面（２ａ）を形成したことを特徴とする請求項１に記載の電球互換型ＬＥＤランプ（１００）。
【請求項３】
第１ＬＥＤ光源（１ａ）および第２ＬＥＤ光源（１ｂ）よりもＬＥＤランプ（１００）の根元側に位置する第１内側端部（２ａＬ１）から第１ＬＥＤ光源（１ａ）および第２ＬＥＤ光源（１ｂ）よりもＬＥＤランプ（１００）の先端側に位置する外側端部（２ａＬ２）まで延びている直線（２ａＬ）であって、ＬＥＤランプ（１００）の先端側ほどＬＥＤランプ（１００）の中心軸線（１００’）からの距離が大きくなる直線（２ａＬ）を、ＬＥＤランプ（１００）の中心軸線（１００’）を中心に回転させることによって、導光レンズ（２）の入射面（２ａ）を形成し、
第１内側端部（２ａＬ１）よりもＬＥＤランプ（１００）の根元側に位置する第２内側端部（２ｂＬ１）から第１ＬＥＤ光源（１ａ）および第２ＬＥＤ光源（１ｂ）よりもＬＥＤランプ（１００）の先端側に位置する先端側端部（２ｂＬ３）まで延びている曲線（２ｂＬ）を、ＬＥＤランプ（１００）の中心軸線（１００’）を中心に回転させることによって、導光レンズ（２）の出射面（２ｂ）を形成したことを特徴とする請求項２に記載の電球互換型ＬＥＤランプ（１００）。
【請求項４】
第１ＬＥＤ光源（１ａ）よりもＬＥＤランプ（１００）の根元側に位置する第１内側端部（２ａＬ１）から第１ＬＥＤ光源（１ａ）よりもＬＥＤランプ（１００）の先端側に位置する外側端部（２ａＬ２）まで延びている直線（２ａＬ）または曲線であって、ＬＥＤランプ（１００）の先端側ほどＬＥＤランプ（１００）の中心軸線（１００’）からの距離が大きくなる直線（２ａＬ）または曲線を、第１ＬＥＤ光源（１ａ）を通るＬＥＤランプ（１００）の中心軸線（１００’）に平行な直線（１ａ”）を中心に回転させることによって、第１ＬＥＤ光源（１ａ）に対向する導光レンズ（２）の入射面（２ａ）の第１部分（２ａ１）を形成し、
第２ＬＥＤ光源（１ｂ）よりもＬＥＤランプ（１００）の根元側に位置する第３内側端部（２ａＬ１’）から第２ＬＥＤ光源（１ｂ）よりもＬＥＤランプ（１００）の先端側に位置する外側端部（２ａＬ２’）まで延びている直線（２ａＬ’）または曲線であって、ＬＥＤランプ（１００）の先端側ほどＬＥＤランプ（１００）の中心軸線（１００’）からの距離が大きくなる直線（２ａＬ’）または曲線を、第２ＬＥＤ光源（１ｂ）を通るＬＥＤランプ（１００）の中心軸線（１００’）に平行な直線（１ｂ”）を中心に回転させることによって、第２ＬＥＤ光源（１ｂ）に対向する導光レンズ（２）の入射面（２ａ）の第２部分（２ａ２）を形成し、
第１内側端部（２ａＬ１）よりもＬＥＤランプ（１００）の根元側に位置する第２内側端部（２ｂＬ１）から第１ＬＥＤ光源（１ａ）よりもＬＥＤランプ（１００）の先端側に位置する先端側端部（２ｂＬ３）まで延びている曲線（２ｂＬ）を、第１ＬＥＤ光源（１ａ）を通るＬＥＤランプ（１００）の中心軸線（１００’）に平行な直線（１ａ”）を中心に回転させることによって、導光レンズ（２）の入射面（２ａ）の第１部分（２ａ１）からの光を出射する導光レンズ（２）の出射面（２ｂ）の第１部分（２ｂ１）を形成し、
第３内側端部（２ａＬ１’）よりもＬＥＤランプ（１００）の根元側に位置する第４内側端部（２ｂＬ１’）から第２ＬＥＤ光源（１ｂ）よりもＬＥＤランプ（１００）の先端側に位置する先端側端部（２ｂＬ３’）まで延びている曲線（２ｂＬ’）を、第２ＬＥＤ光源（１ｂ）を通るＬＥＤランプ（１００）の中心軸線（１００’）に平行な直線（１ｂ”）を中心に回転させることによって、導光レンズ（２）の入射面（２ａ）の第２部分（２ａ２）からの光を出射する導光レンズ（２）の出射面（２ｂ）の第２部分（２ｂ２）を形成したことを特徴とする請求項１に記載の電球互換型ＬＥＤランプ（１００）。
【請求項５】
第１ＬＥＤ光源（１ａ）が実装された第１基板（４ａ）と、第２ＬＥＤ光源（１ｂ）が実装された第２基板（４ｂ）とを、ＬＥＤランプ（１００）の中心軸線（１００’）上に位置する光源支持部材（５）に接続し、
概略傘状の放熱部材（６）を光源支持部材（５）に接続すると共に、導光レンズ（２）の先端側に配置し、
概略傘状の放熱部材（６）の根元側表面によって反射面（６ａ）を形成し、
第１ＬＥＤ光源（１ａ）および第２ＬＥＤ光源（１ｂ）からの光のうち、導光レンズ（２）の入射面（２ａ）に入射しない光（Ｌ１ａ４，Ｌ１ａ５，Ｌ１ｂ４，Ｌ１ｂ５）が放熱部材（６）の反射面（６ａ）によって反射され、ＬＥＤランプ（１００）の先端側に照射され、
第１ＬＥＤ光源（１ａ）および第２ＬＥＤ光源（１ｂ）が発生した熱が、第１基板（４ａ）、第２基板（４ｂ）および光源支持部材（５）を介して放熱部材（６）に伝熱され、放熱部材（６）から放熱されることを特徴とする請求項１〜４のいずれか一項に記載の電球互換型ＬＥＤランプ（１００）。
【請求項６】
概略傘状の放熱部材（６）の根元側表面と先端側表面とを連通する貫通穴（６ｂ）を形成し、
第１ＬＥＤ光源（１ａ）および第２ＬＥＤ光源（１ｂ）からの光のうち、導光レンズ（２）の入射面（２ａ）に入射しない光（Ｌ１ａ６，Ｌ１ｂ６）が概略傘状の放熱部材（６）の貫通穴（６ｂ）を透過し、ＬＥＤランプ（１００）の先端側に照射されることを特徴とする請求項５に記載の電球互換型ＬＥＤランプ（１００）。
【請求項７】
第１ＬＥＤ光源（１ａ）および第１基板（４ａ）と、第２ＬＥＤ光源（１ｂ）および第２基板（４ｂ）とが、ＬＥＤランプ（１００）の中心軸線（１００’）を中心として１８０°回転対称になるように、第１ＬＥＤ光源（１ａ）と第１基板（４ａ）と第２ＬＥＤ光源（１ｂ）と第２基板（４ｂ）とを配置し、
光源支持部材（５）に接続される概略傘状の放熱部材（６）の根元側端部（６ｃ）を概略コ字状に形成し、
放熱部材（６）の概略コ字状の根元側端部（６ｃ）によって、第１基板（４ａ）と光源支持部材（５）と第２基板（４ｂ）とを挟持し、固定したことを特徴とする請求項５又は６に記載の電球互換型ＬＥＤランプ（１００）。
【請求項８】
光源支持部材（５）の表面のうち、第１基板（４ａ）および第２基板（４ｂ）を支持しない部分を導光レンズ（２）の入射面（２ａ）の側に延ばすことによって放熱部（５ａ）を形成し、
第１ＬＥＤ光源（１ａ）および第２ＬＥＤ光源（１ｂ）が発生した熱が、第１基板（４ａ）および第２基板（４ｂ）を介して光源支持部材（５）の放熱部（５ａ）に伝熱され、光源支持部材（５）の放熱部（５ａ）から放熱されることを特徴とする請求項７に記載の電球互換型ＬＥＤランプ（１００）。
【請求項９】
請求項１〜８のいずれか一項に記載の電球互換型ＬＥＤランプ（１００）を具備し、
ＬＥＤランプ（１００）から照射される光の疑似焦点（１００ａ）を、リフレクタ（２０１）の放物系反射面（２０１ａ）の焦点（２００ａ１）上またはその近傍に配置したことを特徴とする車両用灯具（２００）。
【発明の詳細な説明】
【技術分野】
【０００１】
本発明は、複数のＬＥＤ光源と、複数のＬＥＤ光源からの光を導光する導光レンズと、複数のＬＥＤ光源に電力を供給する給電部とを具備する電球互換型ＬＥＤランプおよびそれを有する車両用灯具に関する。
【０００２】
特に、本発明は、ＬＥＤランプの中心軸線と小さい角度をなしてＬＥＤランプの根元側に進む光によってＬＥＤランプの給電部の周囲部分を明るく照らすことができる電球互換型ＬＥＤランプおよびそれを有する車両用灯具に関する。
【背景技術】
【０００３】
従来から、フィラメントが発光せしめられる電球（バルブ）に対する互換性を有する電球互換型ＬＥＤランプが知られている。この種の電球互換型ＬＥＤランプの例としては、例えば特許文献１（特開２００７−１２８２１号公報）に記載されたものがある。
【０００４】
また、従来から、複数の発光素子（ＬＥＤ）と、複数の発光素子（ＬＥＤ）からの光を導光する導光レンズ（透明キャップのレンズ部）と、複数の発光素子（ＬＥＤ）に電力を供給する給電部（給電用電線、回路基板の電線取り付け孔）とを具備するＬＥＤランプが知られている。この種のＬＥＤランプの例としては、例えば特許文献２（特開２００２−１５７９１４号公報）の図３に記載されたものがある。
【０００５】
特許文献２の図３に記載されたＬＥＤランプでは、複数の発光素子（ＬＥＤ）の光軸がＬＥＤランプの中心軸線に概略直交するように、複数の発光素子（ＬＥＤ）がＬＥＤランプの中心軸線の周りに配置されている。また、入射面および出射面が導光レンズ（透明キャップのレンズ部）に設けられている。更に、導光レンズ（透明キャップのレンズ部）の入射面と複数の発光素子（ＬＥＤ）とが対向するように、導光レンズ（透明キャップのレンズ部）が複数の発光素子（ＬＥＤ）の周りに配置されている。また、給電部（給電用電線、回路基板の電線取り付け孔）が、ＬＥＤランプの根元側（特許文献２の図３の下側）の端部に配置されている。
【先行技術文献】
【特許文献】
【０００６】
【特許文献１】特開２００７−１２８２１号公報
【特許文献２】特開２００２−１５７９１４号公報
【特許文献３】特開２００９−２８９７４９号公報
【発明の概要】
【発明が解決しようとする課題】
【０００７】
ところで、特許文献２の図３に記載されたＬＥＤランプでは、特許文献２の図３に示すように、導光レンズ（透明キャップのレンズ部）の出射面から出射する光の大部分が、ＬＥＤランプの中心軸線に概略直交する光になる。そのため、特許文献２の図３に記載されたＬＥＤランプを特許文献１の図４に記載されたリフレクタに適用し、ＬＥＤランプの先端側（特許文献１の図４の上側）からリフレクタの反射面を見ると、リフレクタの反射面の一部分のみが環状に光って見え、リフレクタの反射面の大部分が暗く見えてしまう。
【０００８】
そこで、特許文献２の図３に記載された導光レンズ（透明キャップのレンズ部）の代わりに、特許文献２の図９に記載された導光レンズ（透明キャップのレンズ部）を適用すると、特許文献２の図９に示すように、導光レンズ（透明キャップのレンズ部）の出射面から、ＬＥＤランプの中心軸線に概略直交する光のみならず、ＬＥＤランプの先端側（特許文献２の図９の上側）に進む光、および、ＬＥＤランプの根元側（特許文献２の図９の下側）に進む光を出射することができる。そのため、特許文献２の図９に記載されたＬＥＤランプを特許文献１の図４に記載されたリフレクタに適用することにより、特許文献２の図３に記載されたＬＥＤランプが特許文献１の図４に記載されたリフレクタに適用される場合よりも、ＬＥＤランプの先端側（特許文献１の図４の上側）からリフレクタの反射面を見た時に光って見える部分を大きくすることができる。
【０００９】
ところが、特許文献２の図９に記載されたＬＥＤランプでは、特許文献２の図９に示すように、導光レンズ（透明キャップのレンズ部）の入射面および出射面が、複数の発光素子（ＬＥＤ）よりも、ＬＥＤランプの中心軸線から離れた位置に配置されている。換言すれば、特許文献２の図９に記載されたＬＥＤランプでは、特許文献２の図９に示すように、導光レンズ（透明キャップのレンズ部）の入射面とＬＥＤランプの中心軸線との距離が、複数の発光素子（ＬＥＤ）とＬＥＤランプの中心軸線との距離より大きくなっており、導光レンズ（透明キャップのレンズ部）の出射面とＬＥＤランプの中心軸線との距離が、複数の発光素子（ＬＥＤ）とＬＥＤランプの中心軸線との距離より大きくなっている。詳細には、特許文献２の図９に記載されたＬＥＤランプでは、導光レンズ（透明キャップのレンズ部）の出射面が、ＬＥＤランプの中心軸線に平行な円筒面によって形成されている。
【００１０】
そのため、特許文献２の図９に記載されたＬＥＤランプでは、ＬＥＤランプの中心軸線と小さい角度をなしてＬＥＤランプの根元側（特許文献２の図９の下側）に進む光の大部分が、導光レンズ（透明キャップのレンズ部）の出射面を透過することができず、導光レンズ（透明キャップのレンズ部）の出射面によって内面反射されてしまう。
【００１１】
その結果、特許文献２の図９に記載されたＬＥＤランプでは、特許文献２の図９に示すように、導光レンズ（透明キャップのレンズ部）の出射面からＬＥＤランプの中心軸線と大きい角度をなしてＬＥＤランプの根元側（特許文献２の図９の下側）に進む光を出射することができるものの、導光レンズ（透明キャップのレンズ部）の出射面からＬＥＤランプの中心軸線と小さい角度をなしてＬＥＤランプの根元側（特許文献２の図９の下側）に進む光を出射することができない。従って、特許文献２の図９に記載されたＬＥＤランプでは、ＬＥＤランプの中心軸線と小さい角度をなしてＬＥＤランプの根元側（特許文献２の図９の下側）に進む光によってＬＥＤランプの給電部（給電用電線、回路基板の電線取り付け孔）（特許文献２の図１参照）の周囲部分を明るく照らすことができない。そのため、特許文献２の図９に記載されたＬＥＤランプが特許文献１の図４に記載されたリフレクタに適用される場合であっても、ＬＥＤランプの先端側（特許文献１の図４の上側）からリフレクタの反射面を見た時に、リフレクタの反射面のうち、ＬＥＤランプの給電部（給電用電線、回路基板の電線取り付け孔）（特許文献２の図１参照）の周囲部分が暗く見えてしまう。
【００１２】
前記問題点に鑑み、本発明は、ＬＥＤランプの中心軸線と小さい角度をなしてＬＥＤランプの根元側に進む光によってＬＥＤランプの給電部の周囲部分を明るく照らすことができる電球互換型ＬＥＤランプおよびそれを有する車両用灯具を提供することを目的とする。
【課題を解決するための手段】
【００１３】
請求項１に記載の発明によれば、第１ＬＥＤ光源（１ａ）と、第２ＬＥＤ光源（１ｂ）と、第１ＬＥＤ光源（１ａ）および第２ＬＥＤ光源（１ｂ）からの光を導光する導光レンズ（２）と、第１ＬＥＤ光源（１ａ）および第２ＬＥＤ光源（１ｂ）に電力を供給する給電部（３）とを具備し、
第１ＬＥＤ光源（１ａ）の光軸（１ａ’）および第２ＬＥＤ光源（１ｂ）の光軸（１ｂ’）がＬＥＤランプ（１００）の中心軸線（１００’）に概略直交するように、第１ＬＥＤ光源（１ａ）および第２ＬＥＤ光源（１ｂ）をＬＥＤランプ（１００）の中心軸線（１００’）の周りに配置し、
入射面（２ａ）と出射面（２ｂ）とを導光レンズ（２）に設け、
導光レンズ（２）の入射面（２ａ）と第１ＬＥＤ光源（１ａ）および第２ＬＥＤ光源（１ｂ）とが対向するように、第１ＬＥＤ光源（１ａ）および第２ＬＥＤ光源（１ｂ）の周りに導光レンズ（２）を配置し、
給電部（３）をＬＥＤランプ（１００）の根元側端部に配置した電球互換型ＬＥＤランプ（１００）において、
第１ＬＥＤ光源（１ａ）および第２ＬＥＤ光源（１ｂ）よりもＬＥＤランプ（１００）の根元側に位置する第１内側端部（２ａＬ１）から第１ＬＥＤ光源（１ａ）および第２ＬＥＤ光源（１ｂ）よりもＬＥＤランプ（１００）の先端側に位置する外側端部（２ａＬ２）まで延びている直線（２ａＬ）または曲線であって、ＬＥＤランプ（１００）の先端側ほどＬＥＤランプ（１００）の中心軸線（１００’）からの距離が大きくなる直線（２ａＬ）または曲線を、ＬＥＤランプ（１００）の中心軸線（１００’）に平行な所定の直線を中心に回転させることによって、導光レンズ（２）の入射面（２ａ）を形成し、第１内側端部（２ａＬ１）よりもＬＥＤランプ（１００）の根元側に位置する第２内側端部（２ｂＬ１）から第１ＬＥＤ光源（１ａ）および第２ＬＥＤ光源（１ｂ）よりもＬＥＤランプ（１００）の先端側に位置する先端側端部（２ｂＬ３）まで延びている曲線（２ｂＬ）を、ＬＥＤランプ（１００）の中心軸線（１００’）に平行な所定の直線を中心に回転させることによって、導光レンズ（２）の出射面（２ｂ）を形成し、
第１ＬＥＤ光源（１ａ）を通るＬＥＤランプ（１００）の中心軸線（１００’）に平行な直線（１ａ”）上に、あるいは、第１ＬＥＤ光源（１ａ）を通るＬＥＤランプ（１００）の中心軸線（１００’）に平行な直線（１ａ”）よりもＬＥＤランプ（１００）の中心軸線（１００’）に近い位置に入射面（２ａ）の第１内側端部（２ａＬ１）を配置し、
第１ＬＥＤ光源（１ａ）を通るＬＥＤランプ（１００）の中心軸線（１００’）に平行な直線（１ａ”）上に、あるいは、第１ＬＥＤ光源（１ａ）を通るＬＥＤランプ（１００）の中心軸線（１００’）に平行な直線（１ａ”）よりもＬＥＤランプ（１００）の中心軸線（１００’）に近い位置に出射面（２ｂ）の第２内側端部（２ｂＬ１）を配置し、
ＬＥＤランプ（１００）の中心軸線（１００’）に概略直交する面によって出射面（２ｂ）の根元側端部（２ｂＬ４）を形成し、
第１ＬＥＤ光源（１ａ）および第２ＬＥＤ光源（１ｂ）からＬＥＤランプ（１００）の先端側に照射された光（Ｌ１ａ１，Ｌ１ｂ１）が、導光レンズ（２）の入射面（２ａ）および出射面（２ｂ）によって屈折せしめられ、ＬＥＤランプ（１００）の根元側に進む光（Ｌ１ａ１’，Ｌ１ｂ１’）になり、
第１ＬＥＤ光源（１ａ）および第２ＬＥＤ光源（１ｂ）からＬＥＤランプ（１００）の根元側に照射された光（Ｌ１ａ３，Ｌ１ｂ３）が、導光レンズ（２）の入射面（２ａ）および出射面（２ｂ）の根元側端部（２ｂＬ４）によって屈折せしめられ、ＬＥＤランプ（１００）の根元側に進む光（Ｌ１ａ３’，Ｌ１ｂ３’）になり、ＬＥＤランプ（１００）の給電部（３）の周囲部分に照射されることを特徴とする電球互換型ＬＥＤランプ（１００）が提供される。
【００１４】
請求項２に記載の発明によれば、第１ＬＥＤ光源（１ａ）および第２ＬＥＤ光源（１ｂ）よりもＬＥＤランプ（１００）の根元側に位置する第１内側端部（２ａＬ１）から第１ＬＥＤ光源（１ａ）および第２ＬＥＤ光源（１ｂ）よりもＬＥＤランプ（１００）の先端側に位置する外側端部（２ａＬ２）まで延びている直線（２ａＬ）であって、ＬＥＤランプ（１００）の先端側ほどＬＥＤランプ（１００）の中心軸線（１００’）からの距離が大きくなる直線（２ａＬ）を、ＬＥＤランプ（１００）の中心軸線（１００’）に平行な所定の直線を中心に回転させることによって、導光レンズ（２）の入射面（２ａ）を形成したことを特徴とする請求項１に記載の電球互換型ＬＥＤランプ（１００）が提供される。
【００１５】
請求項３に記載の発明によれば、第１ＬＥＤ光源（１ａ）および第２ＬＥＤ光源（１ｂ）よりもＬＥＤランプ（１００）の根元側に位置する第１内側端部（２ａＬ１）から第１ＬＥＤ光源（１ａ）および第２ＬＥＤ光源（１ｂ）よりもＬＥＤランプ（１００）の先端側に位置する外側端部（２ａＬ２）まで延びている直線（２ａＬ）であって、ＬＥＤランプ（１００）の先端側ほどＬＥＤランプ（１００）の中心軸線（１００’）からの距離が大きくなる直線（２ａＬ）を、ＬＥＤランプ（１００）の中心軸線（１００’）を中心に回転させることによって、導光レンズ（２）の入射面（２ａ）を形成し、
第１内側端部（２ａＬ１）よりもＬＥＤランプ（１００）の根元側に位置する第２内側端部（２ｂＬ１）から第１ＬＥＤ光源（１ａ）および第２ＬＥＤ光源（１ｂ）よりもＬＥＤランプ（１００）の先端側に位置する先端側端部（２ｂＬ３）まで延びている曲線（２ｂＬ）を、ＬＥＤランプ（１００）の中心軸線（１００’）を中心に回転させることによって、導光レンズ（２）の出射面（２ｂ）を形成したことを特徴とする請求項２に記載の電球互換型ＬＥＤランプ（１００）が提供される。
【００１６】
請求項４に記載の発明によれば、第１ＬＥＤ光源（１ａ）よりもＬＥＤランプ（１００）の根元側に位置する第１内側端部（２ａＬ１）から第１ＬＥＤ光源（１ａ）よりもＬＥＤランプ（１００）の先端側に位置する外側端部（２ａＬ２）まで延びている直線（２ａＬ）または曲線であって、ＬＥＤランプ（１００）の先端側ほどＬＥＤランプ（１００）の中心軸線（１００’）からの距離が大きくなる直線（２ａＬ）または曲線を、第１ＬＥＤ光源（１ａ）を通るＬＥＤランプ（１００）の中心軸線（１００’）に平行な直線（１ａ”）を中心に回転させることによって、第１ＬＥＤ光源（１ａ）に対向する導光レンズ（２）の入射面（２ａ）の第１部分（２ａ１）を形成し、
第２ＬＥＤ光源（１ｂ）よりもＬＥＤランプ（１００）の根元側に位置する第３内側端部（２ａＬ１’）から第２ＬＥＤ光源（１ｂ）よりもＬＥＤランプ（１００）の先端側に位置する外側端部（２ａＬ２’）まで延びている直線（２ａＬ’）または曲線であって、ＬＥＤランプ（１００）の先端側ほどＬＥＤランプ（１００）の中心軸線（１００’）からの距離が大きくなる直線（２ａＬ’）または曲線を、第２ＬＥＤ光源（１ｂ）を通るＬＥＤランプ（１００）の中心軸線（１００’）に平行な直線（１ｂ”）を中心に回転させることによって、第２ＬＥＤ光源（１ｂ）に対向する導光レンズ（２）の入射面（２ａ）の第２部分（２ａ２）を形成し、
第１内側端部（２ａＬ１）よりもＬＥＤランプ（１００）の根元側に位置する第２内側端部（２ｂＬ１）から第１ＬＥＤ光源（１ａ）よりもＬＥＤランプ（１００）の先端側に位置する先端側端部（２ｂＬ３）まで延びている曲線（２ｂＬ）を、第１ＬＥＤ光源（１ａ）を通るＬＥＤランプ（１００）の中心軸線（１００’）に平行な直線（１ａ”）を中心に回転させることによって、導光レンズ（２）の入射面（２ａ）の第１部分（２ａ１）からの光を出射する導光レンズ（２）の出射面（２ｂ）の第１部分（２ｂ１）を形成し、
第３内側端部（２ａＬ１’）よりもＬＥＤランプ（１００）の根元側に位置する第４内側端部（２ｂＬ１’）から第２ＬＥＤ光源（１ｂ）よりもＬＥＤランプ（１００）の先端側に位置する先端側端部（２ｂＬ３’）まで延びている曲線（２ｂＬ’）を、第２ＬＥＤ光源（１ｂ）を通るＬＥＤランプ（１００）の中心軸線（１００’）に平行な直線（１ｂ”）を中心に回転させることによって、導光レンズ（２）の入射面（２ａ）の第２部分（２ａ２）からの光を出射する導光レンズ（２）の出射面（２ｂ）の第２部分（２ｂ２）を形成したことを特徴とする請求項１に記載の電球互換型ＬＥＤランプ（１００）が提供される。
【００１７】
請求項５に記載の発明によれば、第１ＬＥＤ光源（１ａ）が実装された第１基板（４ａ）と、第２ＬＥＤ光源（１ｂ）が実装された第２基板（４ｂ）とを、ＬＥＤランプ（１００）の中心軸線（１００’）上に位置する光源支持部材（５）に接続し、
概略傘状の放熱部材（６）を光源支持部材（５）に接続すると共に、導光レンズ（２）の先端側に配置し、
概略傘状の放熱部材（６）の根元側表面によって反射面（６ａ）を形成し、
第１ＬＥＤ光源（１ａ）および第２ＬＥＤ光源（１ｂ）からの光のうち、導光レンズ（２）の入射面（２ａ）に入射しない光（Ｌ１ａ４，Ｌ１ａ５，Ｌ１ｂ４，Ｌ１ｂ５）が放熱部材（６）の反射面（６ａ）によって反射され、ＬＥＤランプ（１００）の先端側に照射され、
第１ＬＥＤ光源（１ａ）および第２ＬＥＤ光源（１ｂ）が発生した熱が、第１基板（４ａ）、第２基板（４ｂ）および光源支持部材（５）を介して放熱部材（６）に伝熱され、放熱部材（６）から放熱されることを特徴とする請求項１〜４のいずれか一項に記載の電球互換型ＬＥＤランプ（１００）が提供される。
【００１８】
請求項６に記載の発明によれば、概略傘状の放熱部材（６）の根元側表面と先端側表面とを連通する貫通穴（６ｂ）を形成し、
第１ＬＥＤ光源（１ａ）および第２ＬＥＤ光源（１ｂ）からの光のうち、導光レンズ（２）の入射面（２ａ）に入射しない光（Ｌ１ａ６，Ｌ１ｂ６）が概略傘状の放熱部材（６）の貫通穴（６ｂ）を透過し、ＬＥＤランプ（１００）の先端側に照射されることを特徴とする請求項５に記載の電球互換型ＬＥＤランプ（１００）が提供される。
【００１９】
請求項７に記載の発明によれば、第１ＬＥＤ光源（１ａ）および第１基板（４ａ）と、第２ＬＥＤ光源（１ｂ）および第２基板（４ｂ）とが、ＬＥＤランプ（１００）の中心軸線（１００’）を中心として１８０°回転対称になるように、第１ＬＥＤ光源（１ａ）と第１基板（４ａ）と第２ＬＥＤ光源（１ｂ）と第２基板（４ｂ）とを配置し、
光源支持部材（５）に接続される概略傘状の放熱部材（６）の根元側端部（６ｃ）を概略コ字状に形成し、
放熱部材（６）の概略コ字状の根元側端部（６ｃ）によって、第１基板（４ａ）と光源支持部材（５）と第２基板（４ｂ）とを挟持し、固定したことを特徴とする請求項５又は６に記載の電球互換型ＬＥＤランプ（１００）が提供される。
【００２０】
請求項８に記載の発明によれば、光源支持部材（５）の表面のうち、第１基板（４ａ）および第２基板（４ｂ）を支持しない部分を導光レンズ（２）の入射面（２ａ）の側に延ばすことによって放熱部（５ａ）を形成し、
第１ＬＥＤ光源（１ａ）および第２ＬＥＤ光源（１ｂ）が発生した熱が、第１基板（４ａ）および第２基板（４ｂ）を介して光源支持部材（５）の放熱部（５ａ）に伝熱され、光源支持部材（５）の放熱部（５ａ）から放熱されることを特徴とする請求項７に記載の電球互換型ＬＥＤランプ（１００）が提供される。
【００２１】
請求項９に記載の発明によれば、請求項１〜８のいずれか一項に記載の電球互換型ＬＥＤランプ（１００）を具備し、
ＬＥＤランプ（１００）から照射される光の疑似焦点（１００ａ）を、リフレクタ（２０１）の放物系反射面（２０１ａ）の焦点（２００ａ１）上またはその近傍に配置したことを特徴とする車両用灯具（２００）が提供される。
【発明の効果】
【００２２】
請求項１に記載の電球互換型ＬＥＤランプ（１００）では、第１ＬＥＤ光源（１ａ）と、第２ＬＥＤ光源（１ｂ）と、第１ＬＥＤ光源（１ａ）および第２ＬＥＤ光源（１ｂ）からの光を導光する導光レンズ（２）と、第１ＬＥＤ光源（１ａ）および第２ＬＥＤ光源（１ｂ）に電力を供給する給電部（３）とが設けられている。また、第１ＬＥＤ光源（１ａ）の光軸（１ａ’）および第２ＬＥＤ光源（１ｂ）の光軸（１ｂ’）がＬＥＤランプ（１００）の中心軸線（１００’）に概略直交するように、第１ＬＥＤ光源（１ａ）および第２ＬＥＤ光源（１ｂ）がＬＥＤランプ（１００）の中心軸線（１００’）の周りに配置されている。
【００２３】
更に、請求項１に記載の電球互換型ＬＥＤランプ（１００）では、入射面（２ａ）と出射面（２ｂ）とが導光レンズ（２）に設けられている。また、導光レンズ（２）の入射面（２ａ）と第１ＬＥＤ光源（１ａ）および第２ＬＥＤ光源（１ｂ）とが対向するように、第１ＬＥＤ光源（１ａ）および第２ＬＥＤ光源（１ｂ）の周りに導光レンズ（２）が配置されている。更に、給電部（３）がＬＥＤランプ（１００）の根元側端部に配置されている。
【００２４】
詳細には、請求項１に記載の電球互換型ＬＥＤランプ（１００）では、第１ＬＥＤ光源（１ａ）および第２ＬＥＤ光源（１ｂ）よりもＬＥＤランプ（１００）の根元側に位置する内側端部（２ａＬ１）から第１ＬＥＤ光源（１ａ）および第２ＬＥＤ光源（１ｂ）よりもＬＥＤランプ（１００）の先端側に位置する外側端部（２ａＬ２）まで延びている直線（２ａＬ）または曲線であって、ＬＥＤランプ（１００）の先端側ほどＬＥＤランプ（１００）の中心軸線（１００’）からの距離が大きくなる直線（２ａＬ）または曲線を、ＬＥＤランプ（１００）の中心軸線（１００’）に平行な所定の直線を中心に回転させることによって、導光レンズ（２）の入射面（２ａ）が形成されている。
【００２５】
また、請求項１に記載の電球互換型ＬＥＤランプ（１００）では、第１ＬＥＤ光源（１ａ）および第２ＬＥＤ光源（１ｂ）よりもＬＥＤランプ（１００）の根元側に位置する内側端部（２ｂＬ１）から第１ＬＥＤ光源（１ａ）および第２ＬＥＤ光源（１ｂ）よりもＬＥＤランプ（１００）の先端側に位置する先端側端部（２ｂＬ３）まで延びている曲線（２ｂＬ）を、ＬＥＤランプ（１００）の中心軸線（１００’）に平行な所定の直線を中心に回転させることによって、導光レンズ（２）の出射面（２ｂ）が形成されている。
【００２６】
そのため、請求項１に記載の電球互換型ＬＥＤランプ（１００）では、第１ＬＥＤ光源（１ａ）および第２ＬＥＤ光源（１ｂ）からＬＥＤランプ（１００）の先端側に照射された光（Ｌ１ａ１，Ｌ１ｂ１）が、導光レンズ（２）の入射面（２ａ）および出射面（２ｂ）によって屈折せしめられ、ＬＥＤランプ（１００）の根元側に進む光（Ｌ１ａ１’，Ｌ１ｂ１’）になる。
【００２７】
更に、請求項１に記載の電球互換型ＬＥＤランプ（１００）では、第１ＬＥＤ光源（１ａ）を通るＬＥＤランプ（１００）の中心軸線（１００’）に平行な直線（１ａ”）上に、あるいは、第１ＬＥＤ光源（１ａ）を通るＬＥＤランプ（１００）の中心軸線（１００’）に平行な直線（１ａ”）よりもＬＥＤランプ（１００）の中心軸線（１００’）に近い位置に入射面（２ａ）の内側端部（２ａＬ１）が配置されている。また、第１ＬＥＤ光源（１ａ）を通るＬＥＤランプ（１００）の中心軸線（１００’）に平行な直線（１ａ”）上に、あるいは、第１ＬＥＤ光源（１ａ）を通るＬＥＤランプ（１００）の中心軸線（１００’）に平行な直線（１ａ”）よりもＬＥＤランプ（１００）の中心軸線（１００’）に近い位置に出射面（２ｂ）の内側端部（２ｂＬ１）が配置されている。更に、ＬＥＤランプ（１００）の中心軸線（１００’）に概略直交する面によって出射面（２ｂ）の根元側端部（２ｂＬ４）が形成されている。
【００２８】
そのため、請求項１に記載の電球互換型ＬＥＤランプ（１００）では、第１ＬＥＤ光源（１ａ）および第２ＬＥＤ光源（１ｂ）からＬＥＤランプ（１００）の根元側に照射された光（Ｌ１ａ３，Ｌ１ｂ３）が、導光レンズ（２）の入射面（２ａ）および出射面（２ｂ）の根元側端部（２ｂＬ４）によって屈折せしめられ、ＬＥＤランプ（１００）の根元側に進む光（Ｌ１ａ３’，Ｌ１ｂ３’）になり、ＬＥＤランプ（１００）の給電部（３）の周囲部分に照射される。
【００２９】
すなわち、請求項１に記載の電球互換型ＬＥＤランプ（１００）では、ＬＥＤランプ（１００）の中心軸線（１００’）に概略直交する面によって出射面（２ｂ）の根元側端部（２ｂＬ４）が形成されているため、ＬＥＤランプ（１００）の中心軸線（１００’）と小さい角度をなしてＬＥＤランプ（１００）の根元側に進む光（Ｌ１ａ３”，Ｌ１ｂ３”）が、小さい入射角で導光レンズ（２）の出射面（２ｂ）の根元側端部（２ｂＬ４）に入射する。その結果、請求項１に記載の電球互換型ＬＥＤランプ（１００）では、小さい入射角で導光レンズ（２）の出射面（２ｂ）の根元側端部（２ｂＬ４）に入射する光（Ｌ１ａ３”，Ｌ１ｂ３”）の大部分が、出射面（２ｂ）を透過する。
【００３０】
そのため、請求項１に記載の電球互換型ＬＥＤランプ（１００）によれば、ＬＥＤランプ（１００）の中心軸線（１００’）と小さい角度をなしてＬＥＤランプ（１００）の根元側に進む光（Ｌ１ａ３’，Ｌ１ｂ３’）によってＬＥＤランプ（１００）の給電部（３）の周囲部分を明るく照らすことができる。
【００３１】
換言すれば、請求項１に記載の電球互換型ＬＥＤランプ（１００）によれば、導光レンズ（透明キャップのレンズ部）の出射面がＬＥＤランプの中心軸線に平行な円筒面によって形成されている特許文献２の図９に記載されたＬＥＤランプよりも、ＬＥＤランプ（１００）の給電部（３）の周囲部分を明るく照らすことができる。
【００３２】
請求項２に記載の電球互換型ＬＥＤランプ（１００）では、第１ＬＥＤ光源（１ａ）および第２ＬＥＤ光源（１ｂ）よりもＬＥＤランプ（１００）の根元側に位置する内側端部（２ａＬ１）から第１ＬＥＤ光源（１ａ）および第２ＬＥＤ光源（１ｂ）よりもＬＥＤランプ（１００）の先端側に位置する外側端部（２ａＬ２）まで延びている直線（２ａＬ）であって、ＬＥＤランプ（１００）の先端側ほどＬＥＤランプ（１００）の中心軸線（１００’）からの距離が大きくなる直線（２ａＬ）を、ＬＥＤランプ（１００）の中心軸線（１００’）に平行な所定の直線を中心に回転させることによって、導光レンズ（２）の入射面（２ａ）が形成されている。
【００３３】
つまり、請求項２に記載の電球互換型ＬＥＤランプ（１００）では、導光レンズ（２）の入射面（２ａ）が円錐面によって構成されている。そのため、請求項２に記載の電球互換型ＬＥＤランプ（１００）によれば、導光レンズ（２）の入射面（２ａ）および出射面（２ｂ）が共に自由曲面によって構成される場合よりも、導光レンズ（２）の設計を容易にすることができる。
【００３４】
請求項３に記載の電球互換型ＬＥＤランプ（１００）では、第１ＬＥＤ光源（１ａ）および第２ＬＥＤ光源（１ｂ）よりもＬＥＤランプ（１００）の根元側に位置する内側端部（２ａＬ１）から第１ＬＥＤ光源（１ａ）および第２ＬＥＤ光源（１ｂ）よりもＬＥＤランプ（１００）の先端側に位置する外側端部（２ａＬ２）まで延びている直線（２ａＬ）であって、ＬＥＤランプ（１００）の先端側ほどＬＥＤランプ（１００）の中心軸線（１００’）からの距離が大きくなる直線（２ａＬ）を、ＬＥＤランプ（１００）の中心軸線（１００’）を中心に回転させることによって、導光レンズ（２）の入射面（２ａ）が形成されている。
【００３５】
更に、請求項３に記載の電球互換型ＬＥＤランプ（１００）では、第１ＬＥＤ光源（１ａ）および第２ＬＥＤ光源（１ｂ）よりもＬＥＤランプ（１００）の根元側に位置する内側端部（２ｂＬ１）から第１ＬＥＤ光源（１ａ）および第２ＬＥＤ光源（１ｂ）よりもＬＥＤランプ（１００）の先端側に位置する先端側端部（２ｂＬ３）まで延びている曲線（２ｂＬ）を、ＬＥＤランプ（１００）の中心軸線（１００’）を中心に回転させることによって、導光レンズ（２）の出射面（２ｂ）が形成されている。
【００３６】
そのため、請求項３に記載の電球互換型ＬＥＤランプ（１００）によれば、導光レンズ（２）の入射面（２ａ）の中心軸線（例えば、図７（Ｂ）中の内側端部２ａＬ１と内側端部２ｂＬ１とを結ぶ直線、図７（Ｂ）中の内側端部２ａＬ１’と内側端部２ｂＬ１’とを結ぶ直線）がＬＥＤランプ（１００）の中心軸線（１００’）とは別個に設定され、導光レンズ（２）の出射面（２ｂ）の中心軸線（例えば、図７（Ｂ）中の内側端部２ａＬ１と内側端部２ｂＬ１とを結ぶ直線、図７（Ｂ）中の内側端部２ａＬ１’と内側端部２ｂＬ１’とを結ぶ直線）がＬＥＤランプ（１００）の中心軸線（１００’）とは別個に設定されている場合（例えば、図７（Ｂ）参照）よりも、導光レンズ（２）の設計を容易にすることができる。
【００３７】
請求項４に記載の電球互換型ＬＥＤランプ（１００）では、第１ＬＥＤ光源（１ａ）よりもＬＥＤランプ（１００）の根元側に位置する内側端部（２ａＬ１）から第１ＬＥＤ光源（１ａ）よりもＬＥＤランプ（１００）の先端側に位置する外側端部（２ａＬ２）まで延びている直線（２ａＬ）または曲線であって、ＬＥＤランプ（１００）の先端側ほどＬＥＤランプ（１００）の中心軸線（１００’）からの距離が大きくなる直線（２ａＬ）または曲線を、第１ＬＥＤ光源（１ａ）を通るＬＥＤランプ（１００）の中心軸線（１００’）に平行な直線（１ａ”）を中心に回転させることによって、第１ＬＥＤ光源（１ａ）に対向する導光レンズ（２）の入射面（２ａ）の第１部分（２ａ１）が形成されている。
【００３８】
また、請求項４に記載の電球互換型ＬＥＤランプ（１００）では、第２ＬＥＤ光源（１ｂ）よりもＬＥＤランプ（１００）の根元側に位置する内側端部（２ａＬ１’）から第２ＬＥＤ光源（１ｂ）よりもＬＥＤランプ（１００）の先端側に位置する外側端部（２ａＬ２’）まで延びている直線（２ａＬ’）または曲線であって、ＬＥＤランプ（１００）の先端側ほどＬＥＤランプ（１００）の中心軸線（１００’）からの距離が大きくなる直線（２ａＬ’）または曲線を、第２ＬＥＤ光源（１ｂ）を通るＬＥＤランプ（１００）の中心軸線（１００’）に平行な直線（１ｂ”）を中心に回転させることによって、第２ＬＥＤ光源（１ｂ）に対向する導光レンズ（２）の入射面（２ａ）の第２部分（２ａ２）が形成されている。
【００３９】
更に、請求項４に記載の電球互換型ＬＥＤランプ（１００）では、第１ＬＥＤ光源（１ａ）よりもＬＥＤランプ（１００）の根元側に位置する内側端部（２ｂＬ１）から第１ＬＥＤ光源（１ａ）よりもＬＥＤランプ（１００）の先端側に位置する先端側端部（２ｂＬ３）まで延びている曲線（２ｂＬ）を、第１ＬＥＤ光源（１ａ）を通るＬＥＤランプ（１００）の中心軸線（１００’）に平行な直線（１ａ”）を中心に回転させることによって、導光レンズ（２）の入射面（２ａ）の第１部分（２ａ１）からの光を出射する導光レンズ（２）の出射面（２ｂ）の第１部分（２ｂ１）が形成されている。
【００４０】
また、請求項４に記載の電球互換型ＬＥＤランプ（１００）では、第２ＬＥＤ光源（１ｂ）よりもＬＥＤランプ（１００）の根元側に位置する内側端部（２ｂＬ１’）から第２ＬＥＤ光源（１ｂ）よりもＬＥＤランプ（１００）の先端側に位置する先端側端部（２ｂＬ３’）まで延びている曲線（２ｂＬ’）を、第２ＬＥＤ光源（１ｂ）を通るＬＥＤランプ（１００）の中心軸線（１００’）に平行な直線（１ｂ”）を中心に回転させることによって、導光レンズ（２）の入射面（２ａ）の第２部分（２ａ２）からの光を出射する導光レンズ（２）の出射面（２ｂ）の第２部分（２ｂ２）が形成されている。
【００４１】
そのため、請求項４に記載の電球互換型ＬＥＤランプ（１００）によれば、第１ＬＥＤ光源（１ａ）を通るＬＥＤランプ（１００）の中心軸線（１００’）に平行な直線（１ａ”）を中心に放射状に広がりながら進む光を導光レンズ（２）の出射面（２ｂ）の第１部分（２ｂ１）から出射することができ、第２ＬＥＤ光源（１ｂ）を通るＬＥＤランプ（１００）の中心軸線（１００’）に平行な直線（１ｂ”）を中心に放射状に広がりながら進む光を導光レンズ（２）の出射面（２ｂ）の第２部分（２ｂ２）から出射することができる。
【００４２】
請求項５に記載の電球互換型ＬＥＤランプ（１００）では、第１ＬＥＤ光源（１ａ）が実装された第１基板（４ａ）と、第２ＬＥＤ光源（１ｂ）が実装された第２基板（４ｂ）とが、ＬＥＤランプ（１００）の中心軸線（１００’）上に位置する光源支持部材（５）に接続されている。更に、概略傘状の放熱部材（６）が、光源支持部材（５）に接続されると共に、導光レンズ（２）の先端側に配置されている。また、概略傘状の放熱部材（６）の根元側表面によって反射面（６ａ）が形成されている。
【００４３】
詳細には、請求項５に記載の電球互換型ＬＥＤランプ（１００）では、第１ＬＥＤ光源（１ａ）および第２ＬＥＤ光源（１ｂ）からの光のうち、導光レンズ（２）の入射面（２ａ）に入射しない光（Ｌ１ａ４，Ｌ１ａ５，Ｌ１ｂ４，Ｌ１ｂ５）が放熱部材（６）の反射面（６ａ）によって反射され、ＬＥＤランプ（１００）の先端側に照射される。
【００４４】
そのため、請求項５に記載の電球互換型ＬＥＤランプ（１００）によれば、外拡型リフレクタからの反射光がＬＥＤランプの先端側に照射されない特許文献３（特開２００９−２８９７４９号公報）の図７に記載されたＬＥＤランプよりも、ＬＥＤランプ（１００）から照射される光（Ｌ１ａ１’，Ｌ１ａ２’，Ｌ１ａ３’，Ｌ１ａ４’，Ｌ１ａ５’，Ｌ１ｂ１’，Ｌ１ｂ２’，Ｌ１ｂ３’，Ｌ１ｂ４’，Ｌ１ｂ５’）のフィーリングを電球から照射される光のフィーリングに近づけることができる。
【００４５】
更に、請求項５に記載の電球互換型ＬＥＤランプ（１００）では、第１ＬＥＤ光源（１ａ）および第２ＬＥＤ光源（１ｂ）が発生した熱が、給電部（３）を介して放熱されるのみならず、第１基板（４ａ）、第２基板（４ｂ）および光源支持部材（５）を介して放熱部材（６）に伝熱され、放熱部材（６）から放熱される。
【００４６】
そのため、請求項５に記載の電球互換型ＬＥＤランプ（１００）によれば、放熱部材が設けられていない特許文献１および特許文献２に記載されたＬＥＤランプよりも、第１ＬＥＤ光源（１ａ）および第２ＬＥＤ光源（１ｂ）が発生した熱の放熱性を向上させることができる。
【００４７】
請求項６に記載の電球互換型ＬＥＤランプ（１００）では、概略傘状の放熱部材（６）の根元側表面と先端側表面とを連通する貫通穴（６ｂ）が形成されている。更に、第１ＬＥＤ光源（１ａ）および第２ＬＥＤ光源（１ｂ）からの光のうち、導光レンズ（２）の入射面（２ａ）に入射しない光（Ｌ１ａ６，Ｌ１ｂ６）が概略傘状の放熱部材（６）の貫通穴（６ｂ）を透過し、ＬＥＤランプ（１００）の先端側に照射される。
【００４８】
そのため、請求項６に記載の電球互換型ＬＥＤランプ（１００）によれば、根元側表面と先端側表面とを連通する貫通穴が外拡型リフレクタに形成されていない特開２００９−２８９７４９号公報の図７に記載されたＬＥＤランプよりも、ＬＥＤランプ（１００）から照射される光（Ｌ１ａ１’，Ｌ１ａ２’，Ｌ１ａ３’，Ｌ１ａ４，Ｌ１ａ５，Ｌ１ａ６，Ｌ１ｂ１’，Ｌ１ｂ２’，Ｌ１ｂ３’，Ｌ１ｂ４，Ｌ１ｂ５，Ｌ１ｂ６）のフィーリングを電球から照射される光のフィーリングに近づけることができる。
【００４９】
請求項７に記載の電球互換型ＬＥＤランプ（１００）では、第１ＬＥＤ光源（１ａ）および第１基板（４ａ）と、第２ＬＥＤ光源（１ｂ）および第２基板（４ｂ）とが、ＬＥＤランプ（１００）の中心軸線（１００’）を中心として１８０°回転対称になるように、第１ＬＥＤ光源（１ａ）と第１基板（４ａ）と第２ＬＥＤ光源（１ｂ）と第２基板（４ｂ）とが配置されている。また、光源支持部材（５）に接続される概略傘状の放熱部材（６）の根元側端部（６ｃ）が概略コ字状に形成されている。更に、放熱部材（６）の概略コ字状の根元側端部（６ｃ）によって、第１基板（４ａ）と光源支持部材（５）と第２基板（４ｂ）とが挟持され、固定されている。
【００５０】
つまり、請求項７に記載の電球互換型ＬＥＤランプ（１００）では、放熱部材（６）の根元側端部（６ｃ）が光源支持部材（５）に接続されると、放熱部材（６）の概略コ字状の根元側端部（６ｃ）によって、第１基板（４ａ）と光源支持部材（５）と第２基板（４ｂ）とが挟持され、固定される。
【００５１】
そのため、請求項７に記載の電球互換型ＬＥＤランプ（１００）によれば、第１基板（４ａ）と光源支持部材（５）と第２基板（４ｂ）とを固定する部材が放熱部材（６）の根元側端部（６ｃ）とは別個に設けられている場合よりも、部品数を削減することができ、ＬＥＤランプ（１００）全体のコストを削減することができる。
【００５２】
請求項８に記載の電球互換型ＬＥＤランプ（１００）では、光源支持部材（５）の表面のうち、第１基板（４ａ）および第２基板（４ｂ）を支持しない部分を導光レンズ（２）の入射面（２ａ）の側に延ばすことによって放熱部（５ａ）が形成されている。更に、第１ＬＥＤ光源（１ａ）および第２ＬＥＤ光源（１ｂ）が発生した熱が、第１基板（４ａ）および第２基板（４ｂ）を介して光源支持部材（５）の放熱部（５ａ）に伝熱され、光源支持部材（５）の放熱部（５ａ）から放熱される。
【００５３】
そのため、請求項８に記載の電球互換型ＬＥＤランプ（１００）によれば、光源支持部材と導光レンズの入射面との間に放熱部が設けられていない特許文献２に記載されたＬＥＤランプよりも、第１ＬＥＤ光源（１ａ）および第２ＬＥＤ光源（１ｂ）が発生した熱の放熱性を向上させることができる。
【００５４】
詳細には、請求項８に記載の電球互換型ＬＥＤランプ（１００）によれば、ＬＥＤランプ（１００）全体の外形寸法を大型化させることなく第１ＬＥＤ光源（１ａ）および第２ＬＥＤ光源（１ｂ）が発生した熱の放熱性を向上させることができる。
【００５５】
請求項９に記載の車両用灯具（２００）では、ＬＥＤランプ（１００）から照射される光の疑似焦点（１００ａ）が、リフレクタ（２０１）の放物系反射面（２０１ａ）の焦点（２００ａ１）上またはその近傍に配置されている。
【００５６】
そのため、請求項９に記載の車両用灯具（２００）によれば、電球（バルブ）のフィラメントがリフレクタ（２０１）の放物系反射面（２０１ａ）の焦点（２００ａ１）上またはその近傍に配置されている場合と同様の配光特性を実現することができる。
【図面の簡単な説明】
【００５７】
【図１】第１の実施形態の電球互換型ＬＥＤランプ１００の概略的な断面を示した図である。
【図２】第１の実施形態の電球互換型ＬＥＤランプ１００の導光レンズ２を構成する２つの部材２−１，２−２のうちの一方の部材２−１を透視して見た第１の実施形態の電球互換型ＬＥＤランプ１００の斜視図である。
【図３】図１（Ａ）に示す断面内におけるＬＥＤ光源１ａから照射される光Ｌ１ａ１，Ｌ１ａ２，Ｌ１ａ３およびＬＥＤ光源１ｂから照射される光Ｌ１ｂ１，Ｌ１ｂ２，Ｌ１ｂ３の光路を示した図である。
【図４】図１（Ａ）に示す断面内におけるＬＥＤ光源１ａから照射される光Ｌ１ａ４，Ｌ１ａ５およびＬＥＤ光源１ｂから照射される光Ｌ１ｂ４，Ｌ１ｂ５の光路を示した図である。
【図５】図１（Ａ）に示す断面内におけるＬＥＤ光源１ａから照射される光Ｌ１ａ６およびＬＥＤ光源１ｂから照射される光Ｌ１ｂ６の光路を示した図である。
【図６】図１および図２に示す第１の実施形態の電球互換型ＬＥＤランプ１００が適用された車両用灯具２００の概略的な断面図である。
【図７】第６の実施形態の電球互換型ＬＥＤランプ１００の概略的な断面を示した図である。
【発明を実施するための形態】
【００５８】
図１は第１の実施形態の電球互換型ＬＥＤランプ１００の概略的な断面を示した図である。詳細には、図１（Ａ）はＬＥＤランプ１００の中心軸線１００’を含む平面に沿った第１の実施形態の電球互換型ＬＥＤランプ１００の概略的な断面図、図１（Ｂ）は図１（Ａ）中のＬＥＤ光源１ａ，１ｂ、導光レンズ２などを拡大して示した図である。図２は第１の実施形態の電球互換型ＬＥＤランプ１００の導光レンズ２を構成する２つの部材２−１，２−２のうちの一方の部材２−１を透視して見た第１の実施形態の電球互換型ＬＥＤランプ１００の斜視図である。図３〜図５は図１（Ａ）に示す断面内におけるＬＥＤ光源１ａから照射される光Ｌ１ａ１，Ｌ１ａ２，Ｌ１ａ３，Ｌ１ａ４，Ｌ１ａ５，Ｌ１ａ６およびＬＥＤ光源１ｂから照射される光Ｌ１ｂ１，Ｌ１ｂ２，Ｌ１ｂ３，Ｌ１ｂ４，Ｌ１ｂ５，Ｌ１ｂ６の光路を示した図である。
【００５９】
第１の実施形態の電球互換型ＬＥＤランプ１００では、ＬＥＤ光源１ａ（図１（Ａ）、図１（Ｂ）および図２参照）が基板４ａ（図１（Ａ）および図２参照）に実装されている。また、ＬＥＤ光源１ｂ（図１（Ａ）および図１（Ｂ）参照）が基板４ｂ（図１（Ａ）参照）に実装されている。更に、熱伝導性材料によって形成された光源支持部材５（図１（Ａ）参照）に対して基板４ａ，４ｂが接続されている。
【００６０】
更に、第１の実施形態の電球互換型ＬＥＤランプ１００では、ＬＥＤ光源１ａ，１ｂ（図１（Ａ）、図１（Ｂ）および図２参照）からの光を導光する導光レンズ２（図１（Ａ）、図１（Ｂ）および図２参照）が光源支持部材５（図１（Ａ）参照）に接続されている。詳細には、第１の実施形態の電球互換型ＬＥＤランプ１００では、導光レンズ２が２つの部材２−１，２−２（図１（Ａ）および図２参照）に分割して構成されており、例えばねじ、接着剤（図示せず）などによって２つの部材２−１，２−２を結合することにより、２つの部材２−１，２−２（導光レンズ２）が光源支持部材５に固定されている。
【００６１】
また、第１の実施形態の電球互換型ＬＥＤランプ１００では、導電性材料によって形成されたハウジング８（図１（Ａ）および図２参照）が光源支持部材５（図１（Ａ）参照）に接続されている。詳細には、第１の実施形態の電球互換型ＬＥＤランプ１００では、ハウジング８が２つの部材８−１，８−２（図１（Ａ）および図２参照）に分割して構成されており、図１（Ａ）に示すように、例えばねじ９によって２つの部材８−１，８−２と光源支持部材５とが共締めされている。
【００６２】
更に、第１の実施形態の電球互換型ＬＥＤランプ１００では、電極部材１１（図１（Ａ）および図２参照）が電気絶縁性部材１０を介してハウジング８（図１（Ａ）および図２参照）に接続されている。詳細には、第１の実施形態の電球互換型ＬＥＤランプ１００では、例えば、ＬＥＤ光源１ａ，１ｂ（図１（Ａ）、図１（Ｂ）および図２参照）のアノード電極（図示せず）が、基板４ａ，４ｂ（図１（Ａ）および図２参照）を介してハウジング８に電気的に接続され、ＬＥＤ光源１ａ，１ｂのカソード電極（図示せず）が、基板４ａ，４ｂを介して電極部材１１に電気的に接続されている。
【００６３】
つまり、第１の実施形態の電球互換型ＬＥＤランプ１００では、ＬＥＤ光源１ａ，１ｂ（図１（Ａ）、図１（Ｂ）および図２参照）に電力を供給する給電部３（図１（Ａ）および図２参照）が、ハウジング８（図１（Ａ）および図２参照）および電極部材１１（図１（Ａ）および図２参照）によって構成され、ＬＥＤランプ１００の根元側（図１（Ａ）および図２の下側）端部に配置されている。第１の実施形態の電球互換型ＬＥＤランプ１００では、給電部３が口金型に構成されているが、第２の実施形態の電球互換型ＬＥＤランプ１００では、代わりに、給電部３をウエッジベース型に構成することも可能である。
【００６４】
また、第１の実施形態の電球互換型ＬＥＤランプ１００では、熱伝導性材料によって形成された概略傘状の放熱部材６（図１（Ａ）および図２参照）が光源支持部材５（図１（Ａ）参照）に接続されている。詳細には、第１の実施形態の電球互換型ＬＥＤランプ１００では、図１（Ａ）に示すように、例えばねじ７、接着剤（図示せず）などによって放熱部材６が光源支持部材５に接続されている。第１の実施形態の電球互換型ＬＥＤランプ１００では、放熱部材６が設けられているが、第３の実施形態の電球互換型ＬＥＤランプ１００では、代わりに、放熱部材６を省略することも可能である。
【００６５】
更に、第１の実施形態の電球互換型ＬＥＤランプ１００では、図１（Ａ）および図１（Ｂ）に示すように、ＬＥＤ光源１ａの光軸１ａ’およびＬＥＤ光源１ｂの光軸１ｂ’がＬＥＤランプ１００の中心軸線１００’に概略直交するように、ＬＥＤ光源１ａ，１ｂがＬＥＤランプ１００の中心軸線１００’の周りに配置されている。また、第１の実施形態の電球互換型ＬＥＤランプ１００では、導光レンズ２（図１（Ａ）、図１（Ｂ）および図２参照）の入射面２ａ（図１（Ａ）、図１（Ｂ）および図２参照）とＬＥＤ光源１ａ，１ｂ（図１（Ａ）、図１（Ｂ）および図２参照）とが対向するように、ＬＥＤ光源１ａ，１ｂの周りに導光レンズ２が配置されている。
【００６６】
詳細には、第１の実施形態の電球互換型ＬＥＤランプ１００では、ＬＥＤ光源１ａ，１ｂ（図１（Ａ）、図１（Ｂ）および図２参照）よりもＬＥＤランプ１００の根元側（図１（Ａ）、図１（Ｂ）および図２の下側）に位置する内側端部２ａＬ１（図１（Ｂ）参照）からＬＥＤ光源１ａ，１ｂよりもＬＥＤランプ１００の先端側（図１（Ａ）、図１（Ｂ）および図２の上側）に位置する外側端部２ａＬ２（図１（Ｂ）参照）まで延びている直線２ａＬ（図１（Ｂ）参照）であって、ＬＥＤランプ１００の先端側ほどＬＥＤランプ１００の中心軸線１００’（図１（Ａ）および図１（Ｂ）参照）からの距離が大きくなる直線２ａＬを、ＬＥＤランプ１００の中心軸線１００’を中心に回転させることによって、導光レンズ２（図１（Ａ）、図１（Ｂ）および図２参照）の入射面２ａ（図１（Ａ）、図１（Ｂ）および図２参照）が形成されている。
【００６７】
第４の実施形態の電球互換型ＬＥＤランプ１００では、代わりに、ＬＥＤ光源１ａ，１ｂ（図１（Ａ）、図１（Ｂ）および図２参照）よりもＬＥＤランプ１００の根元側（図１（Ａ）、図１（Ｂ）および図２の下側）に位置する内側端部２ａＬ１（図１（Ｂ）参照）からＬＥＤ光源１ａ，１ｂよりもＬＥＤランプ１００の先端側（図１（Ａ）、図１（Ｂ）および図２の上側）に位置する外側端部２ａＬ２（図１（Ｂ）参照）まで延びている曲線（図示せず）であって、ＬＥＤランプ１００の先端側ほどＬＥＤランプ１００の中心軸線１００’（図１（Ａ）および図１（Ｂ）参照）からの距離が大きくなる曲線を、ＬＥＤランプ１００の中心軸線１００’を中心に回転させることによって、導光レンズ２（図１（Ａ）、図１（Ｂ）および図２参照）の入射面２ａ（図１（Ａ）、図１（Ｂ）および図２参照）を形成することも可能である。
【００６８】
また、第１の実施形態の電球互換型ＬＥＤランプ１００では、ＬＥＤ光源１ａ，１ｂ（図１（Ａ）、図１（Ｂ）および図２参照）よりもＬＥＤランプ１００の根元側（図１（Ａ）、図１（Ｂ）および図２の下側）に位置する内側端部２ｂＬ１（図１（Ｂ）参照）からＬＥＤ光源１ａ，１ｂよりもＬＥＤランプ１００の先端側（図１（Ａ）、図１（Ｂ）および図２の上側）に位置する先端側端部２ｂＬ３（図１（Ｂ）参照）まで延びている曲線２ｂＬ（図１（Ｂ）参照）を、ＬＥＤランプ１００の中心軸線１００’（図１（Ａ）および図１（Ｂ）参照）を中心に回転させることによって、導光レンズ２（図１（Ａ）、図１（Ｂ）および図２参照）の出射面２ｂ（図１（Ａ）、図１（Ｂ）および図２参照）が形成されている。
【００６９】
そのため、第１の実施形態の電球互換型ＬＥＤランプ１００では、図３（Ａ）に示すように、ＬＥＤ光源１ａ（図１（Ａ）参照）からＬＥＤランプ１００の先端側（図３（Ａ）の上側）に照射された光Ｌ１ａ１が、導光レンズ２の入射面２ａおよび出射面２ｂによって屈折せしめられ、ＬＥＤランプ１００の根元側（図３（Ａ）の下側）に進む光Ｌ１ａ１’になる。また、ＬＥＤ光源１ｂ（図１（Ａ）参照）からＬＥＤランプ１００の先端側（図３（Ａ）の上側）に照射された光Ｌ１ｂ１が、導光レンズ２の入射面２ａおよび出射面２ｂによって屈折せしめられ、ＬＥＤランプ１００の根元側（図３（Ａ）の下側）に進む光Ｌ１ｂ１’になる。
【００７０】
更に、第１の実施形態の電球互換型ＬＥＤランプ１００では、図１（Ｂ）に示すように、ＬＥＤ光源１ａを通るＬＥＤランプ１００の中心軸線１００’に平行な直線１ａ”よりもＬＥＤランプ１００の中心軸線１００’に近い位置に入射面２ａの内側端部２ａＬ１が配置されている。また、ＬＥＤ光源１ａを通るＬＥＤランプ１００の中心軸線１００’に平行な直線１ａ”よりもＬＥＤランプ１００の中心軸線１００’に近い位置に出射面２ｂの内側端部２ｂＬ１が配置されている。更に、ＬＥＤランプ１００の中心軸線１００’に概略直交する面によって出射面２ｂの根元側端部２ｂＬ４が形成されている。
【００７１】
そのため、第１の実施形態の電球互換型ＬＥＤランプ１００では、図３（Ｂ）に示すように、ＬＥＤ光源１ａからＬＥＤランプ１００の根元側（図３（Ｂ）の下側）に照射された光Ｌ１ａ３が導光レンズ２の入射面２ａによって屈折せしめられ、導光レンズ２の入射面２ａからの光Ｌ１ａ３”が導光レンズ２の出射面２ｂの根元側端部２ｂＬ４によって屈折せしめられ、ＬＥＤランプ１００の根元側（図３（Ｂ）の下側）に進む光Ｌ１ａ３’になり、ＬＥＤランプ１００の給電部３の周囲部分に照射される。また、ＬＥＤ光源１ｂからＬＥＤランプ１００の根元側（図３（Ｂ）の下側）に照射された光Ｌ１ｂ３が導光レンズ２の入射面２ａによって屈折せしめられ、導光レンズ２の入射面２ａからの光Ｌ１ｂ３”が導光レンズ２の出射面２ｂの根元側端部２ｂＬ４によって屈折せしめられ、ＬＥＤランプ１００の根元側（図３（Ｂ）の下側）に進む光Ｌ１ｂ３’になり、ＬＥＤランプ１００の給電部３の周囲部分に照射される。
【００７２】
すなわち、第１の実施形態の電球互換型ＬＥＤランプ１００では、図３（Ｂ）に示すように、ＬＥＤランプ１００の中心軸線１００’に概略直交する面によって出射面２ｂの根元側端部２ｂＬ４が形成されているため、ＬＥＤランプ１００の中心軸線１００’と小さい角度をなしてＬＥＤランプ１００の根元側に進む光Ｌ１ａ３”，Ｌ１ｂ３”が、小さい入射角で導光レンズ２の出射面２ｂの根元側端部２ｂＬ４に入射する。その結果、第１の実施形態の電球互換型ＬＥＤランプ１００では、図３（Ｂ）に示すように、小さい入射角で導光レンズ２の出射面２ｂの根元側端部２ｂＬ４に入射する光Ｌ１ａ３”，Ｌ１ｂ３”の大部分が、出射面２ｂを透過する。
【００７３】
そのため、第１の実施形態の電球互換型ＬＥＤランプ１００によれば、図３（Ｂ）に示すように、ＬＥＤランプ１００の中心軸線１００’と小さい角度をなしてＬＥＤランプ１００の根元側（図３（Ｂ）の下側）に進む光Ｌ１ａ３’，Ｌ１ｂ３’によってＬＥＤランプ１００の給電部３の周囲部分を明るく照らすことができる。
【００７４】
更に、第１の実施形態の電球互換型ＬＥＤランプ１００では、図３（Ａ）に示すように、ＬＥＤ光源１ａからＬＥＤランプ１００の根元側（図３（Ａ）の下側）に照射された光Ｌ１ａ２が導光レンズ２の入射面２ａによって屈折せしめられ、導光レンズ２の入射面２ａからの光Ｌ１ａ２”が導光レンズ２の出射面２ｂによって屈折せしめられ、ＬＥＤランプ１００の根元側（図３（Ａ）の下側）に進む光Ｌ１ａ２’になる。また、ＬＥＤ光源１ｂからＬＥＤランプ１００の根元側（図３（Ａ）の下側）に照射された光Ｌ１ｂ２が導光レンズ２の入射面２ａによって屈折せしめられ、導光レンズ２の入射面２ａからの光Ｌ１ｂ２”が導光レンズ２の出射面２ｂによって屈折せしめられ、ＬＥＤランプ１００の根元側（図３（Ａ）の下側）に進む光Ｌ１ｂ２’になる。
【００７５】
詳細には、第１の実施形態の電球互換型ＬＥＤランプ１００では、図１（Ｂ）に示すように、導光レンズ２の出射面２ｂの根元側端部２ｂＬ４が内側端部２ｂＬ１よりも根元側（図１（Ｂ）の下側）に突出せしめられている。また、導光レンズ２の出射面２ｂの外側端部２ｂＬ２が先端側端部２ｂＬ３よりも外側（ＬＥＤランプ１００の中心軸線１００’から離れる側）に突出せしめられている。
【００７６】
また、第１の実施形態の電球互換型ＬＥＤランプ１００では、光源支持部材５（図１（Ａ）参照）がＬＥＤランプ１００の中心軸線１００’（図１（Ａ）および図１（Ｂ）参照）上に配置されている。更に、概略傘状の放熱部材６（図１（Ａ）および図２参照）が導光レンズ２（図１（Ａ）、図１（Ｂ）および図２参照）の先端側（図１（Ａ）および図２の上側）に配置されている。また、概略傘状の放熱部材６の根元側表面によって反射面６ａ（図１（Ａ）および図２参照）が形成されている。具体的には、ＬＥＤランプ１００の中心軸線１００’を中心に曲線を回転させることにより得られる曲面によって、反射面６ａが形成されている。
【００７７】
詳細には、第１の実施形態の電球互換型ＬＥＤランプ１００では、図４（Ａ）に示すように、導光レンズ２の入射面２ａに入射しないＬＥＤ光源１ａ（図１（Ａ）参照）からの光Ｌ１ａ４が放熱部材６の反射面６ａによって反射され、放熱部材６の反射面６ａからの反射光Ｌ１ａ４’がＬＥＤランプ１００の先端側（図４（Ａ）の上側）に照射される。また、導光レンズ２の入射面２ａに入射しないＬＥＤ光源１ｂ（図１（Ａ）参照）からの光Ｌ１ｂ４が放熱部材６の反射面６ａによって反射され、放熱部材６の反射面６ａからの反射光Ｌ１ｂ４’がＬＥＤランプ１００の先端側（図４（Ａ）の上側）に照射される。
【００７８】
更に、第１の実施形態の電球互換型ＬＥＤランプ１００では、図４（Ｂ）に示すように、導光レンズ２の入射面２ａに入射しないＬＥＤ光源１ａ（図１（Ａ）参照）からの光Ｌ１ａ５が放熱部材６の反射面６ａによって反射され、放熱部材６の反射面６ａからの反射光Ｌ１ａ５’がＬＥＤランプ１００の先端側（図４（Ｂ）の上側）に照射される。また、導光レンズ２の入射面２ａに入射しないＬＥＤ光源１ｂ（図１（Ａ）参照）からの光Ｌ１ｂ５が放熱部材６の反射面６ａによって反射され、放熱部材６の反射面６ａからの反射光Ｌ１ｂ５’がＬＥＤランプ１００の先端側（図４（Ｂ）の上側）に照射される。
【００７９】
そのため、第１の実施形態の電球互換型ＬＥＤランプ１００によれば、外拡型リフレクタからの反射光がＬＥＤランプの先端側に照射されない特開２００９−２８９７４９号公報の図７に記載されたＬＥＤランプよりも、ＬＥＤランプ１００から照射される光Ｌ１ａ１’，Ｌ１ａ２’，Ｌ１ａ３’，Ｌ１ａ４’，Ｌ１ａ５’，Ｌ１ｂ１’，Ｌ１ｂ２’，Ｌ１ｂ３’，Ｌ１ｂ４’，Ｌ１ｂ５’（図３（Ａ）、図３（Ｂ）、図４（Ａ）および図４（Ｂ）参照）のフィーリングを電球（バルブ）から照射される光のフィーリングに近づけることができる。
【００８０】
また、第１の実施形態の電球互換型ＬＥＤランプ１００では、ＬＥＤ光源１ａ，１ｂ（図１（Ａ）、図１（Ｂ）および図２参照）が発生した熱が、給電部３（図１（Ａ）および図２参照）を介して放熱されるのみならず、基板４ａ，４ｂ（図１（Ａ）および図２参照）および光源支持部材５（図１（Ａ）参照）を介して放熱部材６（図１（Ａ）および図２参照）に伝熱され、放熱部材６から放熱される。そのため、第１の実施形態の電球互換型ＬＥＤランプ１００によれば、放熱部材が設けられていないＬＥＤランプよりも、ＬＥＤ光源１ａ，１ｂが発生した熱の放熱性を向上させることができる。
【００８１】
更に、第１の実施形態の電球互換型ＬＥＤランプ１００では、概略傘状の放熱部材６（図１（Ａ）および図２参照）の根元側（図１（Ａ）および図２の下側）表面と先端側（図１（Ａ）および図２の上側）表面とを連通する貫通穴６ｂ（図１（Ａ）および図２参照）が形成されている。詳細には、第１の実施形態の電球互換型ＬＥＤランプ１００では、図５に示すように、ＬＥＤ光源１ａからの光のうち、導光レンズ２の入射面２ａに入射しない光Ｌ１ａ６が概略傘状の放熱部材６の貫通穴６ｂを透過し、ＬＥＤランプ１００の先端側（図５の上側）に照射される。また、ＬＥＤ光源１ｂからの光のうち、導光レンズ２の入射面２ａに入射しない光Ｌ１ｂ６が概略傘状の放熱部材６の貫通穴６ｂを透過し、ＬＥＤランプ１００の先端側（図５の上側）に照射される。
【００８２】
そのため、第１の実施形態の電球互換型ＬＥＤランプ１００によれば、根元側表面と先端側表面とを連通する貫通穴が外拡型リフレクタに形成されていない特開２００９−２８９７４９号公報の図７に記載されたＬＥＤランプよりも、ＬＥＤランプ１００から照射される光Ｌ１ａ１’，Ｌ１ａ２’，Ｌ１ａ３’，Ｌ１ａ４’，Ｌ１ａ５’，Ｌ１ａ６，Ｌ１ｂ１’，Ｌ１ｂ２’，Ｌ１ｂ３’，Ｌ１ｂ４’，Ｌ１ｂ５’，Ｌ１ｂ６（図３（Ａ）、図３（Ｂ）、図４（Ａ）、図４（Ｂ）および図５参照）のフィーリングを電球（バルブ）から照射される光のフィーリングに近づけることができる。
【００８３】
また、第１の実施形態の電球互換型ＬＥＤランプ１００では、ＬＥＤ光源１ａ（図１（Ａ）、図１（Ｂ）および図２参照）および基板４ａ（図１（Ａ）および図２参照）と、ＬＥＤ光源１ｂ（図１（Ａ）および図１（Ｂ）参照）および基板４ｂ（図１（Ａ）参照）とが、ＬＥＤランプ１００の中心軸線１００’（図１（Ａ）および図１（Ｂ）参照）を中心として１８０°回転対称になるように、ＬＥＤ光源１ａ，１ｂおよび基板４ａ，４ｂが配置されている。更に、第１の実施形態の電球互換型ＬＥＤランプ１００では、図１（Ａ）に示すように、光源支持部材５に接続される概略傘状の放熱部材６の根元側端部６ｃが概略コ字状に形成されている。また、放熱部材６の概略コ字状の根元側端部６ｃによって、基板４ａと光源支持部材５と基板４ｂとが挟持され、固定されている。
【００８４】
つまり、第１の実施形態の電球互換型ＬＥＤランプ１００では、図１（Ａ）に示すように、放熱部材６の根元側端部６ｃが光源支持部材５に接続されると、放熱部材６の概略コ字状の根元側端部６ｃによって、基板４ａと光源支持部材５と基板４ｂとが挟持され、固定される。そのため、第１の実施形態の電球互換型ＬＥＤランプ１００によれば、基板４ａと光源支持部材５と基板４ｂとを固定する部材が放熱部材６の根元側端部６ｃとは別個に設けられている場合よりも、部品数を削減することができ、ＬＥＤランプ１００全体のコストを削減することができる。
【００８５】
更に、第１の実施形態の電球互換型ＬＥＤランプ１００では、図２に示すように、光源支持部材５（図１（Ａ）参照）の表面のうち、基板４ａ，４ｂ（図１（Ａ）および図２参照）を支持しない部分を導光レンズ２の入射面２ａの側（図２の左側および右側）に延ばすことによって放熱部５ａが形成されている。詳細には、第１の実施形態の電球互換型ＬＥＤランプ１００では、ＬＥＤ光源１ａ，１ｂ（図１（Ａ）、図１（Ｂ）および図２参照）が発生した熱が、基板４ａ，４ｂを介して光源支持部材５の放熱部５ａに伝熱され、光源支持部材５の放熱部５ａから放熱される。そのため、第１の実施形態の電球互換型ＬＥＤランプ１００によれば、光源支持部材と導光レンズの入射面との間に放熱部が設けられていない特許文献２に記載されたＬＥＤランプよりも、ＬＥＤ光源１ａ，１ｂが発生した熱の放熱性を向上させることができる。
【００８６】
つまり、第１の実施形態の電球互換型ＬＥＤランプ１００では、導光レンズ２（図１（Ａ）、図１（Ｂ）および図２参照）の入射面２ａ（図１（Ａ）、図１（Ｂ）および図２参照）の内側（ＬＥＤランプ１００の中心軸線１００’の側）の空間が、放熱部５ａ（図２参照）を収容する空間として利用されている。そのため、第１の実施形態の電球互換型ＬＥＤランプ１００によれば、ＬＥＤランプ１００全体の外形寸法を大型化させることなくＬＥＤ光源１ａ，１ｂが発生した熱の放熱性を向上させることができる。
【００８７】
第１の実施形態の電球互換型ＬＥＤランプ１００では、２個のＬＥＤ光源１ａ，１ｂ（図１（Ａ）、図１（Ｂ）および図２参照）が、ＬＥＤランプ１００の中心軸線１００’（図１（Ａ）および図１（Ｂ）参照）を中心として１８０°回転対称になるように配列されているが、第５の実施形態の電球互換型ＬＥＤランプ１００では、代わりに、ｎ個（ｎは３以上の整数）のＬＥＤ光源１ａ，１ｂ，…を、ＬＥＤランプ１００の中心軸線１００’を中心として（３６０／ｎ）°回転対称になるように配列することも可能である。
【００８８】
詳細には、第１の実施形態の電球互換型ＬＥＤランプ１００では、導光レンズ２（図１（Ａ）、図１（Ｂ）および図２参照）の出射面２ｂ（図１（Ａ）および図１（Ｂ）参照）から出射する光Ｌ１ａ１’，Ｌ１ａ２’，Ｌ１ａ３’，Ｌ１ｂ１’，Ｌ１ｂ２’，Ｌ１ｂ３’，…（図３（Ａ）および図３（Ｂ）参照）の大部分が、ＬＥＤランプ１００の中心軸線１００’上に位置する疑似焦点（疑似光源点）１００ａ（図６参照）からの放射光の光路に概略一致する光路上を進むように、ＬＥＤ光源１ａ，１ｂ（図１（Ａ）、図１（Ｂ）および図２参照）の位置および導光レンズ２の入射面２ａ（図１（Ａ）、図１（Ｂ）および図２参照）並びに出射面２ｂの形状が設定されている。
【００８９】
更に詳細には、第１の実施形態の電球互換型ＬＥＤランプ１００では、ＬＥＤランプ１００の疑似焦点（疑似光源点）１００ａ（図６参照）が、ＬＥＤランプ１００の中心軸線１００’（図１（Ａ）および図１（Ｂ）参照）に概略直交する平面であって、先端側端部２ｂＬ３（図１（Ｂ）参照）を含む平面上に配置されている。従って、第１の実施形態の電球互換型ＬＥＤランプ１００では、導光レンズ２（図１（Ａ）、図１（Ｂ）および図２参照）の出射面２ｂ（図１（Ａ）および図１（Ｂ）参照）から出射する光Ｌ１ａ１’，Ｌ１ａ２’，Ｌ１ａ３’，Ｌ１ｂ１’，Ｌ１ｂ２’，Ｌ１ｂ３’，…（図３（Ａ）および図３（Ｂ）参照）の大部分が、ＬＥＤランプ１００の根元側（図３（Ａ）および図３（Ｂ）の下側）に進む。
【００９０】
図６は図１および図２に示す第１の実施形態の電球互換型ＬＥＤランプ１００が適用された車両用灯具２００の概略的な断面図である。詳細には、図６はＬＥＤランプ１００の中心軸線１００’を含む平面に沿った車両用灯具２００の概略的な断面図である。
【００９１】
図６に示す例では、ＬＥＤランプ１００から照射される光Ｌ１ａ１’，Ｌ１ａ２’，Ｌ１ａ３’，Ｌ１ｂ１’，Ｌ１ｂ２’，Ｌ１ｂ３’の疑似焦点１００ａが、車両用灯具２００のリフレクタ２０１の放物系反射面２０１ａの焦点２００ａ１上またはその近傍に配置されている。つまり、図６に示す例では、放物系反射面２０１ａからの反射光Ｌ１ａ１Ｔ，Ｌ１ａ２Ｔ，Ｌ１ａ３Ｔ，Ｌ１ｂ１Ｔ，Ｌ１ｂ２Ｔ，Ｌ１ｂ３Ｔが概略平行な光になる。そのため、図６に示す車両用灯具２００によれば、電球（バルブ）のフィラメントがリフレクタ２０１の放物系反射面２０１ａの焦点２００ａ１上またはその近傍に配置されている場合と同様の配光特性を実現することができる。詳細には、図６に示す車両用灯具２００によれば、ＬＥＤランプ１００の先端側（図６の上側）からリフレクタ２０１の放物系反射面２０１ａを見た時に、リフレクタ２０１の放物系反射面２０１ａからの反射光Ｌ１ａ３Ｔ，Ｌ１ｂ３Ｔによって、特許文献２の図９に記載されたＬＥＤランプが特許文献１の図４に記載されたリフレクタに適用される場合よりも、リフレクタ２０１の放物系反射面２０１ａのうち、ＬＥＤランプ１００の給電部３（図１（Ａ）および図２参照）の周囲部分が明るく見えるようにすることができる。
【００９２】
詳細には、本発明者は、鋭意研究において、リフレクタ２０１（図６参照）の放物系反射面２０１ａ（図６参照）の焦点２００ａ１（図６参照）上またはその近傍に電球（バルブ）のフィラメントが配置され、ストップランプの配光規格を満足している車両用灯具２００に対し、電球（バルブ）を第１の実施形態の電球互換型ＬＥＤランプ１００に置換する変更を行い、配光特性を検討した。その結果、第１の実施形態の電球互換型ＬＥＤランプ１００が適用された車両用灯具２００によっても、ストップランプの配光規格を満足させることができた。
【００９３】
更に、本発明者は、鋭意研究において、リフレクタ２０１（図６参照）の放物系反射面２０１ａ（図６参照）の焦点２００ａ１（図６参照）上またはその近傍に電球（バルブ）のフィラメントが配置され、テールランプの配光規格を満足している車両用灯具２００に対し、電球（バルブ）を第１の実施形態の電球互換型ＬＥＤランプ１００に置換する変更を行い、配光特性を検討した。その結果、第１の実施形態の電球互換型ＬＥＤランプ１００が適用された車両用灯具２００によっても、テールランプの配光規格を満足させることができた。
【００９４】
図７は第６の実施形態の電球互換型ＬＥＤランプ１００の概略的な断面を示した図である。詳細には、図７（Ａ）はＬＥＤランプ１００の中心軸線１００’を含む平面に沿った第６の実施形態の電球互換型ＬＥＤランプ１００の概略的な断面図、図７（Ｂ）は図７（Ａ）中のＬＥＤ光源１ａ，１ｂ、導光レンズ２などを拡大して示した図である。
【００９５】
第１の実施形態の電球互換型ＬＥＤランプ１００では、上述したように、ＬＥＤ光源１ａ，１ｂ（図１（Ａ）、図１（Ｂ）および図２参照）よりもＬＥＤランプ１００の根元側（図１（Ａ）、図１（Ｂ）および図２の下側）に位置する内側端部２ａＬ１（図１（Ｂ）参照）からＬＥＤ光源１ａ，１ｂよりもＬＥＤランプ１００の先端側（図１（Ａ）、図１（Ｂ）および図２の上側）に位置する外側端部２ａＬ２（図１（Ｂ）参照）まで延びている直線２ａＬ（図１（Ｂ）参照）であって、ＬＥＤランプ１００の先端側ほどＬＥＤランプ１００の中心軸線１００’（図１（Ａ）および図１（Ｂ）参照）からの距離が大きくなる直線２ａＬを、ＬＥＤランプ１００の中心軸線１００’を中心に回転させることによって、導光レンズ２（図１（Ａ）、図１（Ｂ）および図２参照）の入射面２ａ（図１（Ａ）、図１（Ｂ）および図２参照）が形成されている。
【００９６】
それに対し、第６の実施形態の電球互換型ＬＥＤランプ１００では、ＬＥＤ光源１ａ（図７（Ａ）および図７（Ｂ）参照）よりもＬＥＤランプ１００の根元側（図７（Ａ）および図７（Ｂ）の下側）に位置する内側端部２ａＬ１（図７（Ｂ）参照）からＬＥＤ光源１ａよりもＬＥＤランプ１００の先端側（図７（Ａ）および図７（Ｂ）の上側）に位置する外側端部２ａＬ２（図７（Ｂ）参照）まで延びている直線２ａＬ（図７（Ｂ）参照）であって、ＬＥＤランプ１００の先端側ほどＬＥＤランプ１００の中心軸線１００’（図７（Ａ）および図７（Ｂ）参照）からの距離が大きくなる直線２ａＬを、ＬＥＤ光源１ａを通るＬＥＤランプ１００の中心軸線１００’に平行な直線１ａ”（図７（Ｂ）参照）を中心に回転させることによって、導光レンズ２（図７（Ａ）および図７（Ｂ）参照）の入射面２ａ（図７（Ａ）および図７（Ｂ）参照）のＬＥＤ光源１ａに対向する部分２ａ１（図７（Ｂ）参照）が形成されている。
【００９７】
また、第６の実施形態の電球互換型ＬＥＤランプ１００では、ＬＥＤ光源１ｂ（図７（Ａ）および図７（Ｂ）参照）よりもＬＥＤランプ１００の根元側（図７（Ａ）および図７（Ｂ）の下側）に位置する内側端部２ａＬ１’（図７（Ｂ）参照）からＬＥＤ光源１ｂよりもＬＥＤランプ１００の先端側（図７（Ａ）および図７（Ｂ）の上側）に位置する外側端部２ａＬ２’（図７（Ｂ）参照）まで延びている直線２ａＬ’（図７（Ｂ）参照）であって、ＬＥＤランプ１００の先端側ほどＬＥＤランプ１００の中心軸線１００’（図７（Ａ）および図７（Ｂ）参照）からの距離が大きくなる直線２ａＬ’を、ＬＥＤ光源１ｂを通るＬＥＤランプ１００の中心軸線１００’に平行な直線１ｂ”（図７（Ｂ）参照）を中心に回転させることによって、導光レンズ２（図７（Ａ）および図７（Ｂ）参照）の入射面２ａ（図７（Ａ）および図７（Ｂ）参照）のＬＥＤ光源１ｂに対向する部分２ａ２（図７（Ｂ）参照）が形成されている。
【００９８】
更に、第１の実施形態の電球互換型ＬＥＤランプ１００では、上述したように、ＬＥＤ光源１ａ，１ｂ（図１（Ａ）、図１（Ｂ）および図２参照）よりもＬＥＤランプ１００の根元側（図１（Ａ）、図１（Ｂ）および図２の下側）に位置する内側端部２ｂＬ１（図１（Ｂ）参照）からＬＥＤ光源１ａ，１ｂよりもＬＥＤランプ１００の先端側（図１（Ａ）、図１（Ｂ）および図２の上側）に位置する先端側端部２ｂＬ３（図１（Ｂ）参照）まで延びている曲線２ｂＬ（図１（Ｂ）参照）を、ＬＥＤランプ１００の中心軸線１００’（図１（Ａ）および図１（Ｂ）参照）を中心に回転させることによって、導光レンズ２（図１（Ａ）、図１（Ｂ）および図２参照）の出射面２ｂ（図１（Ａ）、図１（Ｂ）および図２参照）が形成されている。
【００９９】
それに対し、第６の実施形態の電球互換型ＬＥＤランプ１００では、ＬＥＤ光源１ａ（図７（Ａ）および図７（Ｂ）参照）よりもＬＥＤランプ１００の根元側（図７（Ａ）および図７（Ｂ）の下側）に位置する内側端部２ｂＬ１（図７（Ｂ）参照）からＬＥＤ光源１ａよりもＬＥＤランプ１００の先端側（図７（Ａ）および図７（Ｂ）の上側）に位置する先端側端部２ｂＬ３（図７（Ｂ）参照）まで延びている曲線２ｂＬ（図７（Ｂ）参照）を、ＬＥＤ光源１ａを通るＬＥＤランプ１００の中心軸線１００’（図７（Ａ）および図７（Ｂ）参照）に平行な直線１ａ”（図７（Ｂ）参照）を中心に回転させることによって、導光レンズ２（図７（Ａ）および図７（Ｂ）参照）の入射面２ａ（図７（Ａ）および図７（Ｂ）参照）の部分２ａ１（図７（Ｂ）参照）からの光を出射する導光レンズ２の出射面２ｂ（図７（Ａ）および図７（Ｂ）参照）の部分２ｂ１（図７（Ｂ）参照）が形成されている。
【０１００】
また、第６の実施形態の電球互換型ＬＥＤランプ１００では、ＬＥＤ光源１ｂ（図７（Ａ）および図７（Ｂ）参照）よりもＬＥＤランプ１００の根元側（図７（Ａ）および図７（Ｂ）の下側）に位置する内側端部２ｂＬ１’（図７（Ｂ）参照）からＬＥＤ光源１ｂよりもＬＥＤランプ１００の先端側（図７（Ａ）および図７（Ｂ）の上側）に位置する先端側端部２ｂＬ３’（図７（Ｂ）参照）まで延びている曲線２ｂＬ’（図７（Ｂ）参照）を、ＬＥＤ光源１ｂを通るＬＥＤランプ１００の中心軸線１００’（図７（Ａ）および図７（Ｂ）参照）に平行な直線１ｂ”（図７（Ｂ）参照）を中心に回転させることによって、導光レンズ２（図７（Ａ）および図７（Ｂ）参照）の入射面２ａ（図７（Ａ）および図７（Ｂ）参照）の部分２ａ２（図７（Ｂ）参照）からの光を出射する導光レンズ２の出射面２ｂ（図７（Ａ）および図７（Ｂ）参照）の部分２ｂ２（図７（Ｂ）参照）が形成されている。
【０１０１】
そのため、第６の実施形態の電球互換型ＬＥＤランプ１００によれば、ＬＥＤ光源１ａ（図７（Ａ）および図７（Ｂ）参照）を通るＬＥＤランプ１００の中心軸線１００’（図７（Ａ）および図７（Ｂ）参照）に平行な直線１ａ”（図７（Ｂ）参照）を中心に放射状に広がりながら進む光を導光レンズ２（図７（Ａ）および図７（Ｂ）参照）の出射面２ｂ（図７（Ａ）および図７（Ｂ）参照）の部分２ｂ１（図７（Ｂ）参照）から出射することができ、ＬＥＤ光源１ｂ（図７（Ａ）および図７（Ｂ）参照）を通るＬＥＤランプ１００の中心軸線１００’に平行な直線１ｂ”（図７（Ｂ）参照）を中心に放射状に広がりながら進む光を導光レンズ２の出射面２ｂの部分２ｂ２（図７（Ｂ）参照）から出射することができる。
【０１０２】
更に、第６の実施形態の電球互換型ＬＥＤランプ１００では、ＬＥＤ光源１ａ（図７（Ａ）および図７（Ｂ）参照）を通るＬＥＤランプ１００の中心軸線１００’（図７（Ａ）および図７（Ｂ）参照）に平行な直線１ａ”（図７（Ｂ）参照）上に導光レンズ２（図７（Ａ）および図７（Ｂ）参照）の入射面２ａ（図７（Ａ）および図７（Ｂ）参照）の内側端部２ａＬ１（図７（Ｂ）参照）が配置されている。また、ＬＥＤ光源１ｂ（図７（Ａ）および図７（Ｂ）参照）を通るＬＥＤランプ１００の中心軸線１００’に平行な直線１ｂ”（図７（Ｂ）参照）上に導光レンズ２の入射面２ａの内側端部２ａＬ１’（図７（Ｂ）参照）が配置されている。
【０１０３】
また、第６の実施形態の電球互換型ＬＥＤランプ１００では、ＬＥＤ光源１ａ（図７（Ａ）および図７（Ｂ）参照）を通るＬＥＤランプ１００の中心軸線１００’に平行な直線１ａ”（図７（Ｂ）参照）上に導光レンズ２（図７（Ａ）および図７（Ｂ）参照）の出射面２ｂ（図７（Ａ）および図７（Ｂ）参照）の内側端部２ｂＬ１（図７（Ｂ）参照）が配置されている。更に、ＬＥＤ光源１ｂ（図７（Ａ）および図７（Ｂ）参照）を通るＬＥＤランプ１００の中心軸線１００’に平行な直線１ｂ”（図７（Ｂ）参照）上に導光レンズ２（図７（Ａ）および図７（Ｂ）参照）の出射面２ｂ（図７（Ａ）および図７（Ｂ）参照）の内側端部２ｂＬ１’（図７（Ｂ）参照）が配置されている。
【０１０４】
第６の実施形態の電球互換型ＬＥＤランプ１００では、上述したように、ＬＥＤ光源１ａ（図７（Ａ）および図７（Ｂ）参照）よりもＬＥＤランプ１００の根元側（図７（Ａ）および図７（Ｂ）の下側）に位置する内側端部２ａＬ１（図７（Ｂ）参照）からＬＥＤ光源１ａよりもＬＥＤランプ１００の先端側（図７（Ａ）および図７（Ｂ）の上側）に位置する外側端部２ａＬ２（図７（Ｂ）参照）まで延びている直線２ａＬ（図７（Ｂ）参照）であって、ＬＥＤランプ１００の先端側ほどＬＥＤランプ１００の中心軸線１００’（図７（Ａ）および図７（Ｂ）参照）からの距離が大きくなる直線２ａＬを、ＬＥＤ光源１ａを通るＬＥＤランプ１００の中心軸線１００’に平行な直線１ａ”（図７（Ｂ）参照）を中心に回転させることによって、導光レンズ２（図７（Ａ）および図７（Ｂ）参照）の入射面２ａ（図７（Ａ）および図７（Ｂ）参照）のＬＥＤ光源１ａに対向する部分２ａ１（図７（Ｂ）参照）が形成されている。
【０１０５】
第７の実施形態の電球互換型ＬＥＤランプ１００では、代わりに、ＬＥＤ光源１ａ（図７（Ａ）および図７（Ｂ）参照）よりもＬＥＤランプ１００の根元側（図７（Ａ）および図７（Ｂ）の下側）に位置する内側端部２ａＬ１（図７（Ｂ）参照）からＬＥＤ光源１ａよりもＬＥＤランプ１００の先端側（図７（Ａ）および図７（Ｂ）の上側）に位置する外側端部２ａＬ２（図７（Ｂ）参照）まで延びている曲線（図示せず）であって、ＬＥＤランプ１００の先端側ほどＬＥＤランプ１００の中心軸線１００’（図７（Ａ）および図７（Ｂ）参照）からの距離が大きくなる曲線を、ＬＥＤ光源１ａを通るＬＥＤランプ１００の中心軸線１００’に平行な直線１ａ”（図７（Ｂ）参照）を中心に回転させることによって、導光レンズ２（図７（Ａ）および図７（Ｂ）参照）の入射面２ａ（図７（Ａ）および図７（Ｂ）参照）のＬＥＤ光源１ａに対向する部分２ａ１（図７（Ｂ）参照）を形成することも可能である。
【０１０６】
また、第６の実施形態の電球互換型ＬＥＤランプ１００では、上述したように、ＬＥＤ光源１ｂ（図７（Ａ）および図７（Ｂ）参照）よりもＬＥＤランプ１００の根元側（図７（Ａ）および図７（Ｂ）の下側）に位置する内側端部２ａＬ１’（図７（Ｂ）参照）からＬＥＤ光源１ｂよりもＬＥＤランプ１００の先端側（図７（Ａ）および図７（Ｂ）の上側）に位置する外側端部２ａＬ２’（図７（Ｂ）参照）まで延びている直線２ａＬ’（図７（Ｂ）参照）であって、ＬＥＤランプ１００の先端側ほどＬＥＤランプ１００の中心軸線１００’（図７（Ａ）および図７（Ｂ）参照）からの距離が大きくなる直線２ａＬ’を、ＬＥＤ光源１ｂを通るＬＥＤランプ１００の中心軸線１００’に平行な直線１ｂ”（図７（Ｂ）参照）を中心に回転させることによって、導光レンズ２（図７（Ａ）および図７（Ｂ）参照）の入射面２ａ（図７（Ａ）および図７（Ｂ）参照）のＬＥＤ光源１ｂに対向する部分２ａ２（図７（Ｂ）参照）が形成されている。
【０１０７】
第７の実施形態の電球互換型ＬＥＤランプ１００では、代わりに、ＬＥＤ光源１ｂ（図７（Ａ）および図７（Ｂ）参照）よりもＬＥＤランプ１００の根元側（図７（Ａ）および図７（Ｂ）の下側）に位置する内側端部２ａＬ１’（図７（Ｂ）参照）からＬＥＤ光源１ｂよりもＬＥＤランプ１００の先端側（図７（Ａ）および図７（Ｂ）の上側）に位置する外側端部２ａＬ２’（図７（Ｂ）参照）まで延びている曲線（図示せず）であって、ＬＥＤランプ１００の先端側ほどＬＥＤランプ１００の中心軸線１００’（図７（Ａ）および図７（Ｂ）参照）からの距離が大きくなる曲線を、ＬＥＤ光源１ｂを通るＬＥＤランプ１００の中心軸線１００’に平行な直線１ｂ”（図７（Ｂ）参照）を中心に回転させることによって、導光レンズ２（図７（Ａ）および図７（Ｂ）参照）の入射面２ａ（図７（Ａ）および図７（Ｂ）参照）のＬＥＤ光源１ｂに対向する部分２ａ２（図７（Ｂ）参照）を形成することも可能である。
【０１０８】
第８の実施形態では、上述した第１から第７の実施形態を適宜組み合わせることも可能である。
【産業上の利用可能性】
【０１０９】
本発明の電球互換型ＬＥＤランプは、例えばストップランプ、テールランプなどのような任意の車両用灯具、一般照明装置、街路灯などに適用可能である。
【符号の説明】
【０１１０】
１ａ，１ｂ      ＬＥＤ光源
１ａ’，１ｂ’  光軸
１ａ”，１ｂ”  直線
２              導光レンズ
２ａ            入射面
２ａＬ１        内側端部
２ａＬ２        外側端部
２ａＬ          直線
２ｂ            出射面
２ｂＬ１        内側端部
２ｂＬ３        先端側端部
２ｂＬ４        根元側端部
２ｂＬ          曲線
３              給電部
１００          ＬＥＤランプ
１００’        中心軸線
【図１】
0005675185.tif 000002
【図２】
0005675185.tif 000003
【図３】
0005675185.tif 000004
【図４】
0005675185.tif 000005
【図５】
0005675185.tif 000006
【図６】
0005675185.tif 000007
【図７】
0005675185.tif 000008